(57)【要約】      （修正有）【課題】遠隔通信システム内のポジショニング基準信号（ＰＲＳ）を供給するシステムおよび方法を提供する。【解決手段】基地局は、時間−周波数領域内に配置するポジショニング基準信号（ＰＲＳ）のシーケンスのパターンを取得する。基地局は、パターンによって時間−周波数領域内の変調シンボルのセットにポジショニング基準信号（ＰＲＳ）シーケンスをマッピングする。ポジショニング（ＰＲＳ）シーケンスは、マッピングにより確立された変調シンボルのセットの配信によりユーザ装置に伝えられる。【選択図】図３
2014239494.tif 000002
【特許請求の範囲】
【請求項１】
時間−周波数領域内のパターンを選択することであって、時間−周波数領域内の前記パターンは時間−周波数リソースのブロック内の各周波数トーンに変調シンボルを割り当てることと、
少なくとも前記パターンによって時間−周波数領域内の変調シンボルのセットにポジショニング基準信号（ＰＲＳ）シーケンスをマッピングすることと、
変調シンボルの前記セットの配信により前記ＰＲＳシーケンスを伝えることとを備えた方法。
【請求項２】
前記選択することが、通常のサイクリックプリフィックス（ＣＰ）での無線サブフレーム構造に対する第１のパターン、拡張ＣＰでの無線サブフレーム構造に対する第２のパターン、またはマルチキャスト／ブロードキャスト単一周波数ネットワーク（ＭＢＳＦＮ）サブフレームに対する第３のパターンの少なくとも１つをメモリから取得することを含んでおり、前記第１のパターンと、前記第２のパターンと、前記第３のパターンは、携帯遠隔通信システム内のサービスエリアセルに特有である、請求項１に記載の方法。
【請求項３】
前記選択することは、タイムスケジュールまたは所定のイベントの少なくとも１つにより時間−周波数領域内にパターンを生成することを含んでいる、請求項１に記載の方法。
【請求項４】
前記生成することは、周波数トーンのセットと時間インターバルのセットを含む時間−周波数リソースのグループを選択することと、
前記周波数トーンのセット内の各周波数トーンに対して、ＰＲＳを伝えるために少なくとも１つの変調シンボルを割り当てることであって、前記少なくとも１つの変調シンボルが、異なる基準信号がその間に送信されない時間インターバルに送信されることとを含む、請求項３に記載の方法。
【請求項５】
前記選択することは、タイムスケジュールまたは所定のイベントの少なくとも１つにより、時間−周波数領域内の現在のパターンから時間−周波数領域内の更新パターンに切り換えることを含む、請求項１に記載の方法。
【請求項６】
時間−周波数領域内のパターンを選択することであって、時間−周波数領域内の前記パターンは時間−周波数リソースのブロック内の各周波数トーンに変調シンボルを割り当てることと、少なくともパターンに従って時間−周波数領域内の変調シンボルのセットにポジショニング基準信号（ＰＲＳ）シーケンスをマッピングすることと、前記変調シンボルのセットの配信により前記ＰＲＳシーケンスを伝えることとに関連する指示を保持する少なくともメモリと、
少なくとも前記メモリに機能可能に結合され、少なくとも前記メモリ内に保持された前記指示を実行するように構成された少なくともプロセッサとを備えた装置。
【請求項７】
前記選択することに関連する前記指示が、通常のサイクリックプリフィックス（ＣＰ）での無線サブフレーム構造に対する第１のパターン、拡張ＣＰでの無線サブフレーム構造に対する第２のパターン、またはマルチキャスト／ブロードキャスト単一周波数ネットワーク（ＭＢＳＦＮ）サブフレームに対する第３のパターンの少なくとも１つをメモリから取得することに関連する指示を含んでおり、前記第１のパターンと、前記第２のパターンと、前記第３のパターンは、携帯遠隔通信システム内のサービスエリアセルに特有である、請求項６に記載の装置。
【請求項８】
前記第１のパターンは周波数領域指数を確立する第１の関係性を少なくとも含んでおり、前記第１の関係性は第１の静的オフセットと第１の時間依存オフセットの追加を含んでおり、前記第１の時間依存オフセットは時間領域指数およびタイムスロットのパリティによって規定される数の第１のシーケンスと、前記携帯遠隔通信システム内の前記サービスエリアセルの指数によって部分的に判定される第１の定数に基づいている、請求項７に記載の装置。
【請求項９】
前記第１の静的オフセットが６ｍであり、式中ｍは１のインクリメントで０から
【数１】
2014239494.tif 000019
までのインターバルにわたり、
【数２】
2014239494.tif 000020
はダウンリンクにおけるリソースブロック（ＲＢｓ）の数であり、
前記第１の時間依存オフセットは（ｖ＋ｖshift）ｍｏｄ６であり、式中ｖは数の前記第１のシーケンス内の整数であり、ｖshiftは前記第１の定数であり、
【数３】
2014239494.tif 000021
または
【数４】
2014239494.tif 000022
の１つを満たし、式中、
【数５】
2014239494.tif 000023
は前記サービスエリアセルの前記指数であり、ＳＦＮは前記システムフレーム数であり、ｃ（・）は擬似乱数シーケンスであり、数の前記第１のシーケンス内の前記整数は
【数６】
2014239494.tif 000024
によって規定され、式中ｌは前記時間領域指数であり、ｎsはスロット数である、請求項８に記載の装置。
【請求項１０】
前記第２のパターンは周波数領域指数を確立する第２の関係性を少なくとも含んでおり、前記第２の関係性は第２の静的オフセットと第２の時間依存オフセットの追加を含んでおり、前記第２の時間依存オフセットは時間領域指数およびタイムスロットのパリティによって規定される数の第２のシーケンスと、前記携帯遠隔通信システム内の前記サービスエリアセルの指数によって部分的に判定される第２の定数に基づいている、請求項７に記載の装置。
【請求項１１】
前記第２の静的オフセットが６ｍであり、式中ｍは１のインクリメントで０から
【数７】
2014239494.tif 000025
までのインターバルにわたり、
【数８】
2014239494.tif 000026
はダウンリンクにおけるリソースブロック（ＲＢｓ）の数であり、
前記第２の時間依存オフセットは（ｖ＋ｖshift）ｍｏｄ６であり、式中ｖは数の前記第２のシーケンス内の整数であり、ｖshiftは前記第２の定数であり、
【数９】
2014239494.tif 000027
または
【数１０】
2014239494.tif 000028
の１つを満たし、式中、
【数１１】
2014239494.tif 000029
は前記サービスエリアセルの前記指数であり、ＳＦＮは前記システムフレーム数であり、ｃ（・）は擬似乱数シーケンスであり、数の前記第２のシーケンス内の前記整数は
【数１２】
2014239494.tif 000030
によって規定され、式中ｌは前記時間領域指数であり、ｎsはスロット数である、請求項１０に記載の装置。
【請求項１２】
前記第３のパターンは周波数領域指数を確立する第３の関係性を少なくとも含んでおり、前記第３の関係性は第３の静的オフセットと第３の時間依存オフセットの追加を含んでおり、前記第３の時間依存オフセットは時間領域指数およびタイムスロットのパリティによって規定される数の第３のシーケンスと、前記携帯遠隔通信システム内の前記サービスエリアセルの指数によって部分的に判定される第３の定数に基づいている、請求項７に記載の装置。
【請求項１３】
前記第３の静的オフセットが６ｍであり、式中ｍは１のインクリメントで０から
【数１３】
2014239494.tif 000031
までのインターバルにわたり、
【数１４】
2014239494.tif 000032
はダウンリンクにおけるリソースブロック（ＲＢｓ）の数であり、
前記第３の時間依存オフセットは（ｖ＋ｖshift）ｍｏｄ６であり、式中ｖは数の前記第３のシーケンス内の整数であり、ｖshiftは前記第３の定数であり、
【数１５】
2014239494.tif 000033
または
【数１６】
2014239494.tif 000034
の１つを満たし、式中、
【数１７】
2014239494.tif 000035
は前記サービスエリアセルの前記指数であり、ＳＦＮは前記システムフレーム数であり、ｃ（・）は擬似乱数シーケンスであり、数の前記第３のシーケンス内の前記整数は
【数１８】
2014239494.tif 000036
によって規定され、式中ｌは前記時間領域指数であり、ｎｓはスロット数である、請求項１２に記載の装置。
【請求項１４】
前記選択することに関連する前記指示は、タイムスケジュールまたは所定のイベントの少なくとも１つにより時間−周波数領域内にパターンを生成することに関連する指示を含んでいる、請求項７に記載の装置。
【請求項１５】
前記生成することに関連する指示は、周波数トーンのセットと時間インターバルのセットを含む時間−周波数リソースのグループを選択することに関連する指示と、
前記周波数トーンのセット内の各周波数トーンに対して、ＰＲＳを伝えるために少なくとも１つの変調シンボルを割り当てることに関連する指示であって、前記少なくとも１つの変調シンボルが、異なる基準信号がその間に送信されない時間インターバルに送信される指示を含んでいる、請求項１４に記載の装置。
【請求項１６】
前記選択することに関連する指示は、タイムスケジュールまたは所定のイベントの少なくとも１つにより、時間−周波数領域内の現在のパターンから時間−周波数領域内の更新パターンに切り換える指示を含んでいる、請求項６に記載の装置。
【請求項１７】
時間−周波数領域内のパターンを選択するための手段であって、時間−周波数領域内の前記パターンは時間−周波数リソースのブロック内の各周波数トーンに変調シンボルを割り当てる手段と、
少なくとも前記パターンによって時間−周波数領域内の変調シンボルのセットにポジショニング基準信号（ＰＲＳ）シーケンスをマッピングするための手段と、
変調シンボルの前記セットの配信により前記ＰＲＳシーケンスを伝えるための手段とを備えた、ワイヤレス通信装置。
【請求項１８】
前記選択するための手段が、通常のサイクリックプリフィックス（ＣＰ）での無線サブフレーム構造に対する第１のパターン、拡張ＣＰでの無線サブフレーム構造に対する第２のパターン、またはマルチキャスト／ブロードキャスト単一周波数ネットワーク（ＭＢＳＦＮ）サブフレームに対する第３のパターンの少なくとも１つを取得するための手段を含んでおり、前記第１のパターンと、前記第２のパターンと、前記第３のパターンは、携帯遠隔通信システム内のサービスエリアセルに特有である、請求項１７に記載のワイヤレス通信装置。
【請求項１９】
前記選択するための手段は、タイムスケジュールまたは所定のイベントの少なくとも１つにより時間−周波数領域内にパターンを生成するための手段を含んでいる、請求項１７に記載のワイヤレス通信装置。
【請求項２０】
前記生成するための手段は、周波数トーンのセットと時間インターバルのセットを含む時間−周波数リソースのグループを選択するための手段と、
前記周波数トーンのセット内の各周波数トーンに対して、ＰＲＳを伝えるために少なくとも１つの変調シンボルを割り当てるための手段であって、前記少なくとも１つの変調シンボルが、異なる基準信号がその間に送信されない時間インターバルに送信される指示を含んでいる手段とを含んでいる、請求項１９に記載のワイヤレス通信装置。
【請求項２１】
前記選択するための手段は、タイムスケジュールまたは所定のイベントの少なくとも１つにより、時間−周波数領域内の現在のパターンから時間−周波数領域内の更新パターンに切り換えるための手段を含んでいる、請求項１７に記載のワイヤレス通信装置。
【請求項２２】
少なくとも１つのコンピュータに時間−周波数領域内のパターンを選択させるためのコードであって、時間−周波数領域内の前記パターンは時間−周波数リソースのブロック内の各周波数トーンに変調シンボルを割り当てるコードと、
前記少なくとも１つのコンピュータに少なくとも前記パターンに従って時間−周波数領域内の変調シンボルのセットにポジショニング基準信号（ＰＲＳ）シーケンスをマッピングさせるためのコードと、
前記少なくとも１つのコンピュータに変調シンボルの前記セットの配信によりＰＲＳシーケンスを伝えさせるコードとを備えたコンピュータ読取可能媒体を備えた、コンピュータプログラム製品。
【請求項２３】
前記少なくとも１つのコンピュータに時間−周波数領域内の前記パターンを選択させる前記コードは、前記少なくとも１つのコンピュータに、通常のサイクリックプリフィックス（ＣＰ）での無線サブフレーム構造に対する第１のパターン、拡張ＣＰでの無線サブフレーム構造に対する第２のパターン、またはマルチキャスト／ブロードキャスト単一周波数ネットワーク（ＭＢＳＦＮ）サブフレームに対する第３のパターンの少なくとも１つを取得させるコードを含んでいる、請求項２２に記載のコンピュータプログラム製品。
【請求項２４】
前記少なくとも１つのコンピュータに時間−周波数領域内の前記パターンを選択させる前記コードは、前記少なくとも１つのコンピュータにタイムスケジュールまたは所定のイベントの少なくとも１つにより時間−周波数領域内にパターンを生成させるコードを含んでいる、請求項２３に記載のコンピュータプログラム製品。
【請求項２５】
前記少なくとも１つのコンピュータにタイムスケジュールまたは所定のイベントの少なくとも１つにより時間−周波数領域内に前記パターンを生成させる前記コードは、
前記少なくとも１つのコンピュータに周波数トーンのセットと時間インターバルのセットを含む時間−周波数リソースのグループを選択させるコードと、
前記周波数トーンのセット内の各周波数トーンに対して、前記少なくとも１つのコンピュータにＰＲＳを伝えるために少なくとも１つの変調シンボルを割り当てさせるコードであって、前記少なくとも１つの変調シンボルが、異なる基準信号がその間に送信されない時間インターバルに送信される指示を含んでいるコードとを含む、請求項２４に記載のコンピュータプログラム製品。
【請求項２６】
前記少なくとも１つのコンピュータに時間−周波数領域内の前記パターンを選択させる前記コードは、前記少なくとも１つのコンピュータに、タイムスケジュールまたは所定のイベントの少なくとも１つにより、時間−周波数領域内の現在のパターンから時間−周波数領域内の更新パターンに切り換えさせるコードを含んでいる、請求項２２に記載のコンピュータプログラム製品。
【請求項２７】
時間−周波数領域内のパターンを選択するように構成され、時間−周波数領域内の前記パターンは時間−周波数リソースのブロック内の各周波数トーンに変調シンボルを割り当てるものであり、
少なくとも前記パターンにより時間−周波数領域内の変調シンボルのセットにポジショニング基準信号（ＰＲＳ）シーケンスをマッピングするように構成され、かつ
変調シンボルのセットの配信によりＰＲＳシーケンスを送信するように構成されたプロセッサを少なくとも備えた、ワイヤレス通信装置。
【請求項２８】
基地局から変調シンボルの時間−周波数パターンに従ってポジショニング基準信号（ＰＲＳ）シーケンスを受信することであって、前記時間−周波数パターンは時間−周波数リソースのブロック内の各周波数トーンに変調シンボルに割り当てることと、
プロセスの一部として少なくともＰＲＳシーケンスを利用して、位置推定値を作り出すこととを備えた方法。
【請求項２９】
前記受信することは、通常のサイクリックプリフィックス（ＣＰ）インターバルで無線サブフレーム構造に対する前記ＰＲＳシーケンス用の変調シンボルの第１のパターンを復号することを含んでいる、請求項２８に記載の方法。
【請求項３０】
前記受信することは、拡張ＣＰで無線サブフレーム構造に対する変調シンボルの第２のパターンを復号することを含んでいる、請求項２８に記載の方法。
【請求項３１】
前記受信することは、単一の周波数ネットワーク（ＭＢＳＦＮ）サブフレーム上のマルチキャスト／ブロードキャストのために変調シンボルの第３のパターンを復号することを含んでいる、請求項２８に記載の方法。
【請求項３２】
前記受信することが、第１の無線サブフレームに対する変調シンボルの現在のパターンを復号し、第２の無線サブフレームに対する変調シンボルの更新パターンを復号することを含む、請求項２８に記載の方法。
【請求項３３】
変調シンボルの少なくとも時間−周波数領域によりポジショニング基準信号（ＰＲＳ）シーケンスを基地局から受信することであって、時間−周波数領域内の前記パターンは時間−周波数リソースのブロック内の各周波数トーンに変調シンボルを割り当てることと、プロセスの一部として少なくともＰＲＳシーケンスを利用して、位置推定値を作り出すことに関連する指示を保持する指示を保持する少なくともメモリと、
少なくとも前記メモリに機能可能に結合され、少なくとも前記メモリ内に保持された前記指示を実行するように構成された少なくともプロセッサとを備えた装置。
【請求項３４】
前記受信することに関連する前記指示は、通常のサイクリックプリフィックス（ＣＰ）インターバルで無線サブフレーム構造に対する前記ＰＲＳシーケンス用の変調シンボルの第１のパターンを復号することに関連する指示を含んでいる、請求項３３に記載の装置。
【請求項３５】
前記受信することに関連する前記指示は、拡張ＣＰで無線サブフレーム構造に対する変調シンボルの第２のパターンを復号することに関連する指示を含んでいる、請求項３３に記載の装置。
【請求項３６】
前記受信することに関連する前記指示は、単一の周波数ネットワーク（ＭＢＳＦＮ）サブフレーム上のマルチキャスト／ブロードキャストのために変調シンボルの第３のパターンを復号することに関連する指示を含んでいる、請求項３５に記載の装置。
【請求項３７】
変調シンボルの少なくとも時間−周波数領域によりポジショニング基準信号（ＰＲＳ）シーケンスを基地局から受信するための手段であって、時間−周波数領域内の前記パターンは時間−周波数リソースのブロック内の各周波数トーンに変調シンボルを割り当てる手段と、
プロセスの一部として少なくともＰＲＳシーケンスを利用して、位置推定値を作り出すための手段とを備えた、ワイヤレス通信装置。
【請求項３８】
前記受信するための手段は、変調シンボルの前記周波数パターンを少なくとも復号するための手段を含んでいる、請求項３７に記載のワイヤレス通信装置。
【請求項３９】
前記復号するための手段は、通常のサイクリックプリフィックス（ＣＰ）インターバルで無線サブフレーム構造に対する前記ＰＲＳシーケンス用の変調シンボルの第１のパターンを復号するための手段を含んでいる、請求項３８に記載のワイヤレス通信装置。
【請求項４０】
前記復号するための手段は、拡張したサイクリックプリフィックス（ＣＰ）で無線サブフレーム構造に対する前記ＰＲＳシーケンス用の変調シンボルの第２のパターンを復号するための手段を含んでいる、請求項３８に記載のワイヤレス通信装置。
【請求項４１】
前記復号するための手段は、単一の周波数ネットワーク（ＭＢＳＦＮ）サブフレーム上のマルチキャスト／ブロードキャストのために前記ＰＲＳシーケンス用の変調シンボルの第３のパターンを復号するための手段を含んでいる、請求項３８に記載のワイヤレス通信装置。
【請求項４２】
少なくとも１つのコンピュータに、変調シンボルの少なくとも時間−周波数領域によりポジショニング基準信号（ＰＲＳ）シーケンスを基地局から受信させるコードであって、時間−周波数領域内の前記パターンは時間−周波数リソースのブロック内の各周波数トーンに変調シンボルを割り当てるコードと、
前記少なくとも１つのコンピュータに、プロセスの一部として少なくともＰＲＳシーケンスを利用して、位置推定値を作り出させるコードとを備えたコンピュータ読取可能媒体を備えた、コンピュータプログラム製品。
【請求項４３】
前記コンピュータ読取可能媒体はさらに、前記少なくとも１つのコンピュータに、通常のサイクリックプリフィックス（ＣＰ）で無線サブフレーム構造に対する前記ＰＲＳシーケンス用の変調シンボルの第１のパターンを復号させるコードを備えた、請求項４２に記載のコンピュータプログラム製品。
【請求項４４】
前記コンピュータ読取可能媒体はさらに、前記少なくとも１つのコンピュータに、拡張したサイクリックプリフィックス（ＣＰ）で無線サブフレーム構造に対する前記ＰＲＳシーケンス用の変調シンボルの第２のパターンを復号させるコードを備えた、請求項４２に記載のコンピュータプログラム製品。
【請求項４５】
前記コンピュータ読取可能媒体はさらに、前記少なくとも１つのコンピュータに、単一の周波数ネットワーク（ＭＢＳＦＮ）サブフレーム上のマルチキャスト／ブロードキャストのために前記ＰＲＳシーケンス用の変調シンボルの第３のパターンを復号させるコードを備えた、請求項４２に記載のコンピュータプログラム製品。
【請求項４６】
少なくとも変調シンボルの時間−周波数パターンによりポジショニング基準信号（ＰＲＳ）シーケンスを基地局から受信するように構成され、変調シンボルの前記時間−周波数パターンは時間−周波数リソースのブロック内の各周波数副搬送波に変調シンボルを割り当てるものであり、
三辺測量プロセスの一部として少なくともＰＲＳシーケンスを利用して位置推定値を作り出すように構成されたプロセッサを少なくとも備えた、ワイヤレス通信装置。
【発明の詳細な説明】
【技術分野】
【０００１】
関連出願の相互参照
本出願は、２００９年７月１日出願の「ポジショニング基準信号（ＰＲＳ）パターン」という名称の米国仮特許出願第６１／２２２，４２３号の利益を請求するものである。上記仮特許出願の全体を、参照により本明細書に援用する。
【０００２】
本発明は概して、ワイヤレス通信に関し、より詳細には、ポジショニング基準信号（ＰＲＳ）の時間−周波数領域構造、および遠隔通信システム内でのその利用に関する。
【背景技術】
【０００３】
ワイヤレス通信システムは、例えば音声、データなどの様々なタイプの通信コンテンツを提供するために幅広く展開されている。典型的なワイヤレス通信システムは、利用可能なシステムリソース（例えば、帯域幅、伝達電力・・・）を共有することによって、多数のユーザとの通信をサポートすることが可能な多元接続システムとすることができる。このような多元接続システムの例としては、符号分割多元接続（ＣＤＭＡ）システム、時間分割多元接続（ＴＤＭＡ）システム、周波数分割多元接続（ＦＤＭＡ）システム、直交周波数分割多元接続（ＯＦＤＭＡ）システムなどを挙げることができる。加えて、システムは、第３世代パートナシッププロジェクト（３ＧＰＰ）、３ＧＰＰロングタームエボリューション（ＬＴＥ）、ウルトラモバイルブロードバンド（ＵＭＢ）、エボリューションデータオプティマイズド（ＥＶ−ＤＯ、最適化エボリューションデータ）などの多重搬送波ワイヤレス仕様、その１つまたは複数の改正などの仕様に適合することができる。
【０００４】
通常、ワイヤレス多元接続通信システムは、多数のユーザ装置（ＵＥ）に対する通信を同時にサポートすることができる。各ＵＥは、エアインターフェース内でワイヤレスリンク、例えばアップリンクまたはダウンリンク上の送信を介して１つまたは複数の基地局と通信することができる。ダウンリンク（ＤＬ）は、基地局からＵＥまでの遠隔通信リンクのことを言い、アップリンク（ＵＬ）は、ＵＥから基地局までの遠隔通信リンクのことを言う。さらに、ＵＥと基地局の間の通信は、単一入力単一出力（ＳＩＳＯ）、多入力単一出力（ＭＩＳＯ）、多入力多出力（ＭＩＭＯ）システムなどを介して確立することができる。加えて、ＵＥは、ピアツーピアワイヤレスネットワーク構成内で他のＵＥと（および／または基地局が他の基地局と）通信することができる。
【０００５】
様々なタイプの基地局が、ＵＥと通信することができる。様々なタイプの基地局はそれぞれ、異なるセルサイズに関連させることができる。例えば、マクロセル基地局は典型的には、マスト、ルーフトップ、他の既存の構造物などの上に設置された（１つまたは複数の）アンテナを利用している。さらに、マクロセル基地局はしばしば、約数十ワットの電力出力を有し、大きな領域向けのサービスエリアを提供することができる。フェムトセル基地局は、最近出現した別の分類の基地局である。フェムトセル基地局は通常、居住環境または小企業環境向けに設計されており、ＵＥと通信するためにワイヤレス技術（例えば、３ＧＰＰユニバーサルモバイルテレコミュニケーションズシステム（ＵＭＴＳ）またはＬＴＥ、１ｘエボリューションデータオプティマイズド（１ｘＥＶ−ＤＯ）・・・）と、バックホールのための既存のブロードバンドインターネット接続（例えば、デジタル加入者線（ＤＳＬ）、ケーブル・・・）を使用して、ＵＥにワイヤレスサービスエリアを提供することができる。フェムトセル基地局はまた、ホーム進化型ノードＢ（ＨｅＮＢ）、ホームノードＢ（ＨＮＢ）、フェムトセル、アクセスポイント基地局などと呼ぶことができる。他のタイプの基地局の例としては、ピコセル基地局、マイクロセル基地局などが挙げられる。
【０００６】
ワイヤレスサービスが異種基地局を通して提供されるワイヤレス遠隔通信システムの動作に加えて、ＵＥは位置ベースのサービスなど様々なサービスに関連するデータを消費することができる。ＵＥの技術またはプロビジョニング設定（例えば、使用可能機能）に基づいて、ＵＥの位置を、複数の衛星から受信したデータを通して、または複数の基地局から受信した制御信号伝達によりＵＥによって少なくとも部分的に推定することができる。３ＧＰＰ  ＬＴＥネットワークでは、このような制御信号伝達データは、複数の基地局によって送信され、ＵＥによって受信されるポジショニング基準信号（ＰＲＳ）を含んでいる。従来の遠隔通信システムでは、受信機での参照記号のＰＲＳシーケンスの復号は通常、二次相関ピークにつながる。このような二次相関ピークは事実上スプリアスである。というのは、ＵＥの位置の推定値を作り出す（１つまたは複数の）プロセスの一部である飛行時間インターバルの判定（例えば、三辺測量、三角測量・・・）に影響を与える可能性があるからである。
【発明の概要】
【０００７】
以下は、このような実施形態の基本的な理解をもたらすために、１つまたは複数の実施形態の単純化した要約を示している。この要約は、全ての考えられる実施形態の広範囲の概要であり、全ての実施形態の主要または重要要素を識別することも、任意のまたは全ての実施形態の範囲を画することも意図していない。その唯一の目的は、後に提示するより詳細な説明に対する前置きとして単純な形で１つまたは複数の実施形態のいくつかの概念を示すことである。
【０００８】
様々な態様が、遠隔通信システム内でのポジショニング基準信号（ＰＲＳ）の時間−周波数領域構造、およびその利用に関連して記載されている。基地局は、変調シンボルの時間−周波数パターンによってＰＲＳシーケンスを供給し、時間−周波数パターンは、ＰＲＳを送信するために割り当てられた時間−周波数リソースのブロック内の各周波数トーンに変調シンボルを割り当てる。基地局は、時間−周波数パターンを示すマッピングに従って、時間−周波数パターン内の変調シンボルをＰＲＳシーケンス内の基準記号に関連付ける。ＰＲＳシーケンスは、マッピングにより確立される変調シンボルのセットの配信によりユーザ装置に伝えられる。時間−周波数パターンは、基地局に特有である。加えて、異なる時間−周波数パターンは、遠隔通信のために利用される無線サブフレームの時間構造に基づいて利用することができる。ユーザ装置は、基地局から、少なくとも変調シンボルの時間−周波数パターンによってＰＲＳシーケンスを受信し、プロセスの一部として少なくともＰＲＳシーケンスを利用して、位置推定値を作り出す。
【０００９】
一態様では、時間−周波数領域内のパターンを選択することであって、時間−周波数領域内のパターンは時間−周波数リソースのブロック内の各周波数トーンに変調シンボルを割り当てることと、少なくともパターンによって時間−周波数領域内の変調シンボルのセットにポジショニング基準信号（ＰＲＳ）シーケンスをマッピングすることと、変調シンボルのセットの配信によりＰＲＳシーケンスを伝えることとを含む方法が開示されている。
【００１０】
別の態様では、追加の方法が開示されており、追加の方法は、基地局から変調シンボルの時間−周波数パターンに従ってポジショニング基準信号（ＰＲＳ）シーケンスを受信することであって、時間−周波数パターンは時間−周波数リソースのブロック内の各周波数トーンに変調シンボルに割り当てることと、プロセスの一部として少なくともＰＲＳシーケンスを利用して、位置推定値を作り出すこととを含む方法を含んでいる。
【００１１】
さらに別の態様では、時間−周波数領域内のパターンを選択することであって、時間−周波数領域内のパターンは時間−周波数リソースのブロック内の各周波数トーンに変調シンボルを割り当てることと、少なくともパターンに従って時間−周波数領域内の変調シンボルのセットにポジショニング基準信号（ＰＲＳ）シーケンスをマッピングすることと、変調シンボルのセットの配信によりＰＲＳシーケンスを伝えることとに関連する指示を保持する少なくともメモリと、少なくともメモリに機能可能に結合され、少なくともメモリ内に保持された指示を実行するように構成された少なくともプロセッサとを備えた装置が開示されている。
【００１２】
主題の開示は、追加の装置を記載している。別の態様では、追加の装置は、基地局から少なくとも変調シンボルの時間−周波数パターンに従ってポジショニング基準信号（ＰＲＳ）を受信することであって、時間−周波数パターンは時間−周波数リソースのブロック内の各周波数トーンに変調シンボルを割り当てることと、プロセスの一部として少なくともＰＲＳシーケンスを利用して、位置推定値を作り出すこととに関連する指示を保持する少なくともメモリと、少なくともメモリに機能可能に結合され、少なくともメモリ内に保持された指示を実行するように構成された少なくともプロセッサとを備えた装置を含んでいる。
【００１３】
追加の態様では、時間−周波数領域内のパターンを選択するための手段であって、時間−周波数領域内のパターンは時間−周波数リソースのブロック内の各周波数トーンに変調シンボルを割り当てる手段と、少なくともパターンによって時間−周波数領域内の変調シンボルのセットにポジショニング基準信号（ＰＲＳ）シーケンスをマッピングするための手段と、変調シンボルのセットの配信によりＰＲＳシーケンスを伝えるための手段とを備えたワイヤレス通信装置が開示されている。
【００１４】
別の態様は、基地局から変調シンボルの時間−周波数パターンに従ってポジショニング基準信号（ＰＲＳ）シーケンスを受信するための手段であって、時間−周波数パターンは時間−周波数リソースのブロック内の各周波数トーンに変調シンボルに割り当てる手段と、プロセスの一部として少なくともＰＲＳシーケンスを利用して、位置推定値を作り出すための手段とを備えた追加のワイヤレス通信装置を記載している。
【００１５】
追加の態様は、コンピュータプログラム製品を記載している。コンピュータプログラム製品は、少なくとも１つのコンピュータに時間−周波数領域内のパターンを選択させるためのコードであって、時間−周波数領域内のパターンは時間−周波数リソースのブロック内の各周波数トーンに変調シンボルを割り当てるコードと、少なくとも１つのコンピュータに少なくともパターンに従って時間−周波数領域内の変調シンボルのセットにポジショニング基準信号（ＰＲＳ）シーケンスをマッピングさせるためのコードと、少なくとも１つのコンピュータに変調シンボルのセットの配信によりＰＲＳシーケンスを伝えさせるコードとを備えたコンピュータ読取可能媒体を備えている。
【００１６】
別の実施形態は、少なくとも１つのコンピュータに基地局から少なくとも変調シンボルの時間−周波数パターンに従ってポジショニング基準信号（ＰＲＳ）を受信させるコードであって、時間−周波数パターンは時間−周波数リソースのブロック内の各周波数トーンに変調シンボルを割り当てるコードと、少なくとも１つのコンピュータにプロセスの一部として少なくともＰＲＳシーケンスを利用して、位置推定値を作り出させるコードとを備えたコンピュータ読取可能媒体を備えた追加のコンピュータプログラム製品が記載されている。
【００１７】
主題の開示のさらに別の態様は、時間−周波数領域内のパターンを選択するように構成されたプロセッサであって、時間−周波数領域内のパターンは時間−周波数リソースのブロック内の各周波数トーンに変調シンボルを割り当てるプロセッサであって、少なくともパターンにより時間−周波数領域内の変調シンボルのセットにポジショニング基準信号（ＰＲＳ）シーケンスをマッピングし、変調シンボルのセットの配信によりＰＲＳシーケンスを送信するように構成されたプロセッサを少なくとも備えた、ワイヤレス通信装置を対象としている。
【００１８】
開示は、代替ワイヤレス通信装置を提供している。一態様では、このようなワイヤレス通信装置は、少なくとも変調シンボルの時間−周波数パターンによりポジショニング基準信号（ＰＲＳ）シーケンスを基地局から受信するように構成されたプロセッサであって、変調シンボルの時間−周波数パターンは時間−周波数リソースのブロック内の各周波数副搬送波に変調シンボルを割り当てるプロセッサであって、三辺測量プロセスの一部として少なくともＰＲＳシーケンスを利用して位置推定値を作り出すように構成されたプロセッサを少なくとも備えた、ワイヤレス通信装置を含んでいる。
【００１９】
本明細書に記載した態様の少なくとも１つの利点は、（１つまたは複数の）ＰＲＳシーケンスの検出の際の（１つまたは複数の）二次相関ピークは、（１つまたは複数の）シーケンス内の基準シンボルに変調シンボルのセットを割り当てる、（１つまたは複数の）パターンの時間−周波数構造に部分的により緩和されることである。加えて、携帯ワイヤレスシステムで示されているが、主題の開示の態様はそれに限るものではなく、プライベートまたはセミプライベート非計画ワイヤレスネットワーク（例えば、Ｗｉ−Ｆｉネットワーク、フェムトセルネットワーク）などの多くのあらゆるワイヤレス通信システムで利用することができる。加えて、ワイヤレス通信システムでは、本明細書に記載された様々な態様を、遠隔通信に利用される特定の無線技術と関係なく利用することができる。
【００２０】
前述のおよび関連する目的の達成に向けて、１つまたは複数の実施形態は、これ以下に十分に記載し、特に特許請求の範囲で指摘する特性を備えている。以下の説明および添付の図面は、本明細書において、１つまたは複数の実施形態の詳細な特定の例示的態様を記載している。しかし、これらの態様は、様々な実施形態の原理を利用することができ、記載した実施形態がこのような態様およびその同等物全てを含むことを意図した様々な方法のいくつかをいくつか示している。
【図面の簡単な説明】
【００２１】
【図１】本明細書に記載された様々な態様によるワイヤレス通信システムを示す図。
【図２】主題の開示の態様により、ワイヤレス通信システム内でのＰＲＳの生成、およびその配信および利用を可能にし、これを利用する例示的システムを示す図。
【図３】本明細書に記載された態様によるワイヤレス通信システム内での様々な無線サブフレーム構造に対する時間−周波数領域内のＰＲＳシーケンスパターンの図。
【図４】本明細書に開示された態様による遠隔通信システム内で基準シンボルのＰＲＳシーケンスを少なくとも部分的に供給するために、時間−周波数パターンを確立する成分の例示的な実施形態を示す図。
【図５】本明細書に記載された態様によるワイヤレス通信システム内でポジショニング基準信号を供給する基地局の例示的な実施形態を示す図。
【図６】本明細書に記載された態様によるワイヤレス通信システム内でＰＲＳを利用するユーザ装置の例示的な実施形態を示す図。
【図７】本明細書に記載された態様によるワイヤレス通信システム内で位置基準信号（ＰＲＳ）を供給するための例示的な方法のフローチャートを示す図。
【図８】本明細書に記載された態様によるワイヤレス通信システム内でＰＲＳを伝えるために、基準シンボルのセットを生成するように時間−周波数領域内のパターンを選択する例示的な方法のフローチャートを示す図。
【図９】本明細書に記載の態様によるワイヤレス通信システム内で１つまたは複数の変調シンボルをＰＲＳシーケンスに関連させるように時間−周波数パターンを生成する例示的な方法のフローチャート。
【図１０】本明細書に記載の態様により供給されるＰＲＳを利用する例示的な方法のフローチャートを示す図。モバイルデバイス、またはＵＥは、主題の例示的な方法を行なうことができる。
【図１１】本明細書に記載された機能の様々な態様を実施するために利用することができる例示的なシステムを示す図。
【図１２】本明細書に記載された機能の様々な態様を実施するために利用することができる例示的なシステムを示す図。
【図１３】本明細書に記載された様々なシステムおよび方法と合わせて利用することができる例示的なワイヤレス通信システムを示す図。
【図１４】本明細書に記載された様々なシステムおよび方法と合わせて利用することができる例示的なワイヤレス通信システムを示す図。
【図１５】本明細書に記載された態様によるワイヤレス遠隔通信システム内でポジショニング基準信号を供給および利用することを可能にする例示的なシステムを示す図。
【図１６】本明細書に記載された態様によるワイヤレス遠隔通信システム内でポジショニング基準信号を供給および利用することを可能にする例示的なシステムを示す図。
【発明を実施するための形態】
【００２２】
請求する主題の様々な態様を次に、図面を参照して記載するが、全体を通して同様の要素を言うのに同様の参照番号を使用する。以下の説明では、説明する目的では、多くの特定の詳細は、１つまたは複数の態様の完全な理解を与えるために記載されている。しかし、これらの特定の詳細なしで、（１つまたは複数の）このような態様を実施することができることが明らかであることがある。他の例では、１つまたは複数の態様を記載するのを容易にするために、知られている構造およびデバイスをブロック図の形で示されている。
【００２３】
本出願で使用されているように、「構成要素」、「モジュール」、「システム」などの用語は、コンピュータ関連主体、ハードウェア、ファームウェア、ハードウェアとソフトウェアの組合せ、ソフトウェア、または実行中のソフトウェアのいずれかのことを言うことを意図している。例えば、構成要素はこれに限らないが、プロセッサ上で実行しているプロセス、プロセッサ、集積回路、オブジェクト、実行ファイル、実行のスレッド、プログラム、および／またはコンピュータであってもよい。例として、計算デバイス上で実行しているアプリケーションと計算デバイスの両方が構成要素であってもよい。１つまたは複数の構成要素は、実行のプロセスおよび／またはスレッド内にある可能性があり、構成要素を１つのコンピュータ上に集中させる、および／または２つ以上のコンピュータ間に分配させることができる。加えて、これらの構成要素は、上に記憶された様々なデータ構造を有する様々なコンピュータ読取記憶媒体から実行することができる。構成要素は、１つまたは複数のデータパケット（例えば、ローカルシステム、分散システム内の別の構成要素と相互作用する１つの構成要素からの、および／または信号による他のシステムでインターネットなどのネットワークにわたるデータ）を有する信号などに従って、ローカルおよび／または遠隔プロセスにより通信することができる。
【００２４】
本明細書に記載された様々な技術を、符号分割多元接続（ＣＤＭＡ）システム、時間分割多元接続（ＴＤＭＡ）システム、周波数分割多元接続（ＦＤＭＡ）システム、直交周波数分割多元接続（ＯＦＤＭＡ）システム、搬送波周波数分割多元接続（ＳＣ−ＦＤＭＡ）システム、およびこのような他のシステムで使用することができる。「システム」および「ネットワーク」という用語はしばしば、交換可能に使用される。ＣＤＭＡシステムは、地上無線アクセス（ＵＴＲＡ）、ＣＤＭＡ２０００などの無線技術を実施することができる。ＵＴＲＡとしては、広帯域ＣＤＭＡ（Ｗ−ＣＤＭＡ）、およびＣＤＭＡの他の変更形態が挙げられる。ＣＤＭＡ２０００は、ＩＳ−２０００、ＩＳ−９５およびＩＳ−８５６標準をカバーしている。ＴＤＭＡシステムは、モバイル通信用グローバルシステム（ＧＳＭ(登録商標））などの無線技術を実施することができる。ＯＦＤＭＡシステムは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭなどの無線技術を実施することができる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、ダウンリンクではＯＦＤＭＡを、アップリンクではＳＣ−ＦＤＭＡを利用する、Ｅ−ＵＴＲＡを使用するＵＭＴＳの来るリリースである。ＵＴＲＡ、Ｅ−ＵＴＲＡ、ＵＭＴＳ、ＬＴＥおよびＧＳＭは、「第３世代パートナシッププロジェクト」（３ＧＰＰ）と呼ばれる組織による文書に記載されている。加えて、ＣＤＭＡ２０００とＵＭＢは、「第３世代パートナシッププロジェクト２」（３ＧＰＰ２）と呼ばれる組織による文書に記載されている。さらに、このようなワイヤレス通信システムは加えて、対になっていない無認可スペクトル、８０２．ｘｘワイヤレスＬＡＮ、ＢＬＵＥＴＯＯＴＨ(登録商標）、およびあらゆる他の短距離または長距離ワイヤレス通信技術をしばしば使用するピアツーピア（例えば、モバイルツーモバイル）アドホックネットワークシステムを含むことができる。
【００２５】
単一搬送波周波数分割多元接続（ＳＣ−ＦＤＭＡ）は、単一搬送波変調および周波数領域等化を利用する。ＳＣ−ＦＤＭＡは、ＯＦＤＭＡシステムと同様のパフォーマンス、および基本的に同じ全体複雑性を有する。ＳＣ−ＦＤＭＡ信号は、その固有の単一搬送波構造のため、より低いピーク対平均電力比（ＰＡＰＲ）を有する。ＳＣ−ＦＤＭＡは、例えば、より低いＰＡＰＲが送信電力効率の意味でＵＥに大きく利益を与えるアップリンク通信で使用することができる。したがって、ＳＣ−ＦＤＭＡは、３ＧＰＰロングタームエボリューション（ＬＴＥ）または進化型ＵＴＲＡ（Ｅ−ＵＴＲＡ）内でアップリンク多元接続スキームとして実施することができる。
【００２６】
さらに、ユーザ装置（ＵＥ）に関して様々な態様が本明細書に記載されている。ＵＥは、音声および／またはデータ接続性を与えるデバイスのことを言う可能性がある。ＵＥは、ノートパソコンまたはデスクトップコンピュータなどの計算デバイスに接続させることができる、または携帯情報端末（ＰＤＡ）などの内蔵型デバイスであってもよい。ＵＥはまた、システム、加入者ユニット、加入者局、移動局、モバイルデバイス、遠隔局、遠隔端末、ユーザ端末、端末、ワイヤレス通信デバイス、ユーザエージェント、ユーザデバイス、またはアクセス端末と呼ぶことができる。ＵＥは、携帯電話、コードレス電話、セッション開始プロトコル（ＳＩＰ）電話、ワイヤレスローカルループ（ＷＬＬ）局、ＰＤＡ、ワイヤレス通信能力を有する手持ち式デバイス、計算デバイス、またはワイヤレスモデムに接続される他の処理デバイスであってもよい。さらに、基地局に関して様々な態様が本明細書に記載されている。基地局を、（１つまたは複数の）ＵＥと通信するために使用することができ、またアクセスポイント、ノードＢ、進化型ノードＢ（ｅＮｏｄｅＢ、ｅＮＢ）、またはいくつかの他の用語と言うこともできる。基地局は、エアインターフェース上で１つまたは複数のセクタを通してＵＥと通信するアクセスネットワーク内のデバイスのことを言う可能性がある。基地局は、受信したエアインターフェースフレームをＩＰパケットに変換することによって、ワイヤレス端末と、インターネットプロトコル（ＩＰ）ネットワークを含むことができるアクセスネットワークの残りの間のルータとして働くことができる。基地局はまた、エアインターフェースに対する属性の管理を調整することができる。
【００２７】
さらに、「または」という用語は、排他的な「または」というよりはむしろ、包括的な「または」を意味することを意図している。すなわち、そうでないと特定されない、または内容から明らかでない限り、「ＸはＡまたはＢを利用する」という表現は、自然な包括的置換のいずれかを意味することを意図している。すなわち、「ＸはＡまたはＢを利用する」という表現は、以下の例のいずれかによって満足される：ＸはＡを利用する、ＸはＢを利用する、またはＸはＡとＢの両方を利用する。加えて、本出願および添付の特許請求の範囲で利用される「ａ」および「ａｎ」は全体的に、そうでないと特定されない、または単数形を対象としていることが内容から明らかでない限り、「１つまたは複数」を意味するものと解釈されたい。
【００２８】
さらに、主題の開示では、「セット」という用語は、１つまたは複数の主体のグループのことを言うことを意図しており、例えば、データパケットのセットとは１つまたは複数のデータパケットのことを言う。しかし、本明細書で利用されるように、「サブセット」という用語は、例えば、１つまたは複数の主体のサブセットの開示が明らかに空きサブセットを避けることを意図している場合などに、そうでないと記されていない限り空きセットを含む可能性がある。
【００２９】
さらに、本明細書で使用される様々な機能は、ハードウェア、ソフトウェア、ファームウェア、またはそのあらゆる組合せで実施することができる。ソフトウェア内で実施される場合、機能をコンピュータ読取可能媒体上に１つまたは複数の指示またはコードとして記憶するまたは送信することができる。コンピュータ読取可能媒体は、１つの場所から別の場所までの転送を容易にするあらゆる媒体を含む、コンピュータ読取可能記憶媒体と通信媒体の両方を含んでいる。記憶媒体は、コンピュータによってアクセスすることができるあらゆる利用可能な媒体である可能性がある。例として、これに限らないが、このようなコンピュータ読取可能媒体として、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、または指示またはデータ構造の形で所望のプログラムコードを伝えるまたは記憶するために使用することができ、コンピュータによってアクセスすることができるあらゆる他の媒体を挙げることができる。また、あらゆる接続がコンピュータ読取可能媒体を適切に呼ばれる。例えば、ソフトウェアがウェブサイト、サーバ、または同軸ケーブル、光ファイバケーブル、ツイストペア、デジタル加入者線（ＤＳＬ）または赤外線、ワイヤレスおよびマイクロ波などのワイヤレス技術を使用した他の遠隔ソースから送信される場合、同軸ケーブル、光ファイバケーブル、ツイストペア、ＤＳＬまたは赤外線、ワイヤレスおよびマイクロ波などのワイヤレス技術は、媒体の定義内に含められる。本明細書で使用されるディスク（ｄｉｓｋおよびｄｉｓｃ）としては、コンパクトディスク（ＣＤ）、レーザディスク（登録商標）、光ディスク、デジタル多用途ディスク（ＤＶＤ）、フロッピー(登録商標）ディスクおよびブルーレイディスク（ＢＤ）が挙げられ、ディスク（ｄｉｓｋ）は通常データを磁気的に再生し、ディスク（ｄｉｓｃ）はデータをレーザで光学的に再生する。上記の組合せはまた、コンピュータ読取可能媒体の範囲内に含まれるものとする。
【００３０】
様々な態様が、多くのデバイス、構成要素、モジュールなどを含むことができるシステムに関して提示される。様々なシステムは、追加のデバイス、構成要素、モジュールなどを含むことができる、および／または図面に関して論じられるデバイス、構成要素、モジュールなどの１つまたは複数を含める必要はないことを理解しそのように解釈されたい。これらの解決法の組合せも使用することができる。
【００３１】
次に図１を参照すると、例示的な遠隔通信システム１００が、本明細書に提示された様々な態様により図示されている。主題の例示的な遠隔通信システム１００は、多数のアンテナグループを含むことができる基地局１０２を備えている。例えば、１つのアンテナグループは、アンテナ１０４および１０６を含むことができ、別のアンテナグループはアンテナ１０８と１１０を備えることができ、追加のグループはアンテナ１１２と１１４を含むことができる。２つのアンテナが各アンテナグループに対して図示されているが、より多くのまたは少ないアンテナを各グループに利用することができる。基地局１０２は加えて、送信機チェーンと受信機チェーンを含むことができ、それぞれ、当業者には分かるように、信号送受信に関連する複数の構成要素（プロセッサ、変調器、多重化装置、復調器、逆多重化装置、アンテナなど）を備えることができる。
【００３２】
基地局１０２は、ＵＥ１１６とＵＥ１２２などの１つまたは複数のユーザ装置（ＵＥ）と通信することができるが、基地局１０２は、ＵＥ１１６とＵＥ１２２と同様に実質的にあらゆる数のＵＥと通信することができることを理解されたい。基地局１０２と１つまたは複数のＵＥの間の通信は、基地局１０２から１つまたは複数のＵＥまでの（１つまたは複数の）ポジショニング基準信号の配信を含むことができ、配信はこれ以下に説明する様々な態様に従って、変調シンボルの（１つまたは複数の）ＰＲＳシーケンスを通して達成される。単一の基地局１０２が例示的な遠隔通信システム１００内に図示されているが、ＵＥ１１６またはＵＥ１２２は複数の基地局から（１つまたは複数の）ポジショニング基準信号を受信することができ、このような受信により、ＵＥ１１６またはＵＥ１２２が三辺測量プロセスの一部として（１つまたは複数の）ポジショニング基準信号を利用する、例えば、位置推定値を作り出すことが可能になる。１つまたは複数の実施形態では、ＵＥ１１６とＵＥ１２２は、例えば、携帯電話、スマートフォン、ノートパソコン、手持ち式通信デバイス、手持ち式計算デバイス、衛星無線、グローバルポジショニングシステム、ＰＤＡ、および／または例示的な遠隔通信システム１００上で通信するためのあらゆる他の適切なデバイスであってもよい。示すように、ＵＥ１１６はアンテナ１１２と１１４と通信しており、アンテナ１１２と１１４はダウンリンク１２０上では情報をＵＥ１１６に送信し、アップリンク１１８上では情報をＵＥ１１６から受信する。さらに、ＵＥ１２２はアンテナ１０４と１０６と通信しており、アンテナ１０４と１０６はダウンリンク１２６上では情報をＵＥ１２２に送信し、アップリンク１２４上では情報をＵＥ１２２から受信する。周波数分割双方向（ＦＤＤ）システムでは、例えば、アップリンク１１８はダウンリンク１２０によって利用されるのとは異なる周波数帯域を利用することができ、アップリンク１２４はダウンリンク１２６によって利用されるのとは異なる周波数帯域を利用することができる。さらに、時間分割双方向（ＴＤＤ）システムでは、アップリンク１１８とダウンリンク１２０は共通の周波数帯域を利用することができ、アップリンク１２４とダウンリンク１２６は共通の周波数帯域を利用することができる。
【００３３】
アンテナの各グループ、または通信するように指定されている領域は、基地局１０２のセクタと呼ぶことができる。例えば、アンテナグループは、基地局１０２によってカバーされる領域のセクタ内でＵＥと通信するように設計することができる。アップリンク１１８とアップリンク１２４上の通信では、基地局１０２の送信アンテナは、ＵＥ１１６とＵＥ１２２に対するアップリンク１１８とアップリンク１２４の信号対雑音比を改善するためにビーム形成を利用することができる。また、基地局１０２は関連するサービスエリアを通してランダムに散乱されたＵＥ１１６とＵＥ１２２に送信するためにビーム形成を利用することができるが、隣接するセル内のＵＥは、その全てのＵＥへ単一のアンテナを通して送信する基地局と比べて、少ない干渉が行なわれる可能性がある。
【００３４】
図２は、本開示の態様による、ワイヤレス通信システム内のポジショニング基準信号（ＰＲＳ）の通信を可能にし、これを利用する例示的なシステム２００を示している。例示的なシステム２００は、時間−周波数領域内のパターンに従って、基準シンボルの１つまたは複数のＰＲＳシーケンスを供給する基地局２０２を含んでいる。パターンは、時間−周波数領域の一部内で画定され、その部分は設定可能であり、時間−周波数リソースの所定の（例えば、標準化）ブロック（例えば、リソース要素、物理リソースブロック（ＰＲＢ）など）にわたる。パターンは、基地局２０２、または基地局２０２によって扱われるサービスエリアセルに特有である。しかし、独自のパターンのセットは、サービスエリアと、サービスエリアを集合的に扱う基地局のグループ全体を通して再使用することができる。
【００３５】
一態様では、マッピングは、時間−周波数リソースの所定のブロック内の各周波数トーン（または副搬送波）内の少なくとも１つの複素数値変調シンボルをＰＲＳシーケンス内の基準シンボルに割り当てる。３ＧＰＰ  ＬＴＥネットワークまたは３ＧＰＰ  ＵＭＴＳネットワークでは、このような態様を以下の通りパターンに関して特徴付けることができる。時間−周波数リソースの所定のブロック内の周波数副搬送波では、時間−周波数領域内のパターンは、少なくとも１つのリソース要素をＰＲＳシーケンス内の基準シンボルで占めさせる。別の態様では、時間−周波数リソースのブロックはまた、他の基準信号（例えば、３ＧＰＰ  ＬＴＥ内のセル特定基準信号（ＣＲＳ））を輸送するために利用することができるので、マッピングは（例えば、標準化された無線プロトコルに基づいて）割り当てられていないリソース要素を割り当てて、時間−周波数リソースのブロック内で送信することができる他の基準信号の少なくとも１つに関連付けられたシーケンスに対する基準シンボルを伝える。
【００３６】
マッピングは、パターンを示し、時間−周波数リソースのブロック内の複素数値変調シンボルにＰＲＳシーケンス内の基準シンボルを割り当てる。形式的には、ＰＲＳシーケンス
【数１】
2014239494.tif 000003
【００３７】
は、
【数２】
2014239494.tif 000004
【００３８】
に従ってスロットｎs内のアンテナポートｐに対する複素数値変調シンボル
【数３】
2014239494.tif 000005
【００３９】
にマッピングされ、ただし、ｍ′＝ｇ（ｍ）であり、ｋ＝ｆ（ｍ、ｌ）であり、式中、ｌは時間領域指数であり、
【数４】
2014239494.tif 000006
【００４０】
であり、パラメータ
【数５】
2014239494.tif 000007
【００４１】
はスロットｎsに対してＤＬ内のシンボルの数を規定し、ｋは周波数領域指数であり、ｇ（ｍ）は指数ｍの値（正の整数）を調節する関数であり、ｆ（ｍ、ｌ）は時間−周波数領域内のパターンを示すマッピングを少なくとも部分的に規定する関数である。特定の実施形態では、ｇ（ｍ）は恒等式である。３ＧＰＰ  ＬＴＥ  Ｒｅｌ．９では、ｐ＝６であるが、異なるアンテナポートを異なるシステムで利用することができる。一態様では、本明細書に記載された（１つまたは複数の）マッピングは、周波数領域指数を確立する関係性を少なくとも含むことができ、関係性は静的オフセットおよび時間依存オフセットの追加を含んでおり、時間依存オフセットは、時間領域指数およびタイムスロットのパリティによって規定される数のシーケンス、および携帯遠隔通信システム内のサービスエリアセルの指数によって部分的に決められる定数に基づくことができる。
【００４２】
例示的なマッピングは以下のように規定することができる。
【数６】
2014239494.tif 000008
【００４３】
式中、以下の式はポジショニング基準信号の帯域幅である。
【数７】
2014239494.tif 000009
【００４４】
以下の式は、遠隔通信のために基地局２０２によって利用することができるＤＬ内のリソースブロックの最大数である。
【数８】
2014239494.tif 000010
【００４５】
変数ｖおよびｖshiftは、ＰＲＳシーケンスの一部である基準シンボルの周波数領域内の位置を規定する。ｖの値は、時間領域指数ｌに左右される。量ｖshiftは、セル特有周波数シフトである。特定の実施形態では、ｖshiftは以下の式によって規定することができる。
【数９】
2014239494.tif 000011
【００４６】
式中、以下の式は基地局２０２、または基地局２０２によって扱われるセルを識別する（ＩＤという下付き文字は識別を意味する）整数指数である。
【数１０】
2014239494.tif 000012
【００４７】
ＳＦＮはシステムフレーム数であり、ｃ（・）は、６を法として以下の式で全てのＳＦＮ期間（例えば、１０２４の無線サブフレーム）で初期化することができる擬似乱数シーケンスである。
【数１１】
2014239494.tif 000013
【００４８】
量ｖshiftは、６を法として（ｍｏｄ６）規定されており、以下の等式により算出することができる。（ｒ）ｍｏｄｓ＝ｒ−ｓＩｎｔ（ｒ／ｓ）。式中、ｒとｓは実数であり、Ｉｎｔ（・）は引数をその最大整数にマッピングする関数である。代替実施形態では、量ｖshiftは、６を法として以下の式によって規定することができる。
【数１２】
2014239494.tif 000014
【００４９】
上記例示的なマッピングでは、周波数領域指数ｋは６周波数トーン毎に周期的に繰り返される。加えて、ｖshiftの定義を鑑みて、６つの独自の時間−周波数パターンが規定され、したがって、１／６のセル再使用を確立することができる。さらに、前述の例示的なマッピングでは、周波数領域指数ｋは複素数値変調シンボルを６つのトーンによって間隔を置いて配置された周波数トーンに割り当てる（例えば、図３参照）。遠隔通信システムでは、周波数領域内のこのような分割は、異なる基準信号（例えば、セル特定基準信号）の基準シンボルの間の分割に比例しているので、前述の例示的なマッピングは有利である。というのは、前述の例示的なマッピングに従ってマッピングされた基準シンボルのＰＲＳシーケンスを受信するモバイルデバイス（例えば、ＵＥ２３２）での検出器複雑性を単純化するからである。追加のまたは代替マッピング実施形態では、ｆ（ｍ，ｌ）および、ｍｏｄｑを６とは異なる自然数であるｑ（例えば、ｑ＝８）と規定することができる。
【００５０】
３ＧＰＰ  ＬＴＥワイヤレスネットワーク、または３ＧＰＰ  ＵＭＴＳワイヤレスネットワークなどの携帯ワイヤレス通信システムでは、時間−周波数領域内のパターンは、ポジショニング基準信号（ＰＲＳ）を輸送することができる無線サブフレームの時間領域構造に特有である可能性がある。第１の時間−周波数パターンは、３ＧＰＰ  ＬＴＥネットワーク基準内で規定されるように通常のサイクリックプリフィックス（ＣＰ）インターバルで通常の無線サブフレームに対して確立することができ、第２の時間−周波数パターンは、３ＧＰＰ  ＬＴＥネットワーク基準内で規定されるように拡張ＣＰで無線サブフレーム構造に対して確立される。例として、第１の時間−周波数パターンは、前述の例示的マッピングに基づくことができ、以下のように規定することができる。
【数１３】
2014239494.tif 000015
【００５１】
第２の時間−周波数パターンは以下の式により規定することができる。
【数１４】
2014239494.tif 000016
【００５２】
加えて、第３の時間−周波数パターンは、マルチキャスト／ブロードキャスト単一周波数ネットワーク（ＭＢＳＦＮ）サブフレームに対して確立することができる。例えば、第３の周波数パターンは以下のように規定することができる。
【数１５】
2014239494.tif 000017
【００５３】
図３では、図３００は、スロットｎsとｎs+1に対する第１の時間−周波数パターンを示しており、図３３０はこのようなスロットに対する第２の時間−周波数パターンを示しており、図３６０はこのようなスロットに対する第３の時間−周波数パターンを示している。第１、第２および第３の時間−周波数パターンは、それぞれのサブフレームの時間構造に従って１２の周波数副搬送波（または周波数トーン）と変調シンボルのセットを備えた時間−周波数リソースのブロック内に図示されている。時間線に沿った指数は、タイムスロット内の時間領域指数ｌの値を示している。グラフキー３１０は図３に示されている基準信号、ＰＲＳ、セル特有基準信号（ＲＳ）、物理制御フォーマットインジケータチャネル（ＰＣＦＩＣＨ）、物理ダウンリンク制御チャネル（ＰＤＣＣＨ）、および物理ハイブリッドＡＲＱインジケータチャネル（ＰＨＩＣＨ）を示しており、ＡＲＱは自動繰返し要求を示す。
【００５４】
例示的なシステム２００では、基準シンボルのＰＲＳシーケンスを供給するために、基地局２０２は、ポジショニング基準信号（ＰＲＳ）シーケンスの配信のために時間−周波数領域内にパターンを確立（構成、取得、生成など）することができる選択構成要素２０４を含んでいる。選択構成要素２０４は、マッピング構成要素２０８にパターンの選択を示すまたは信号として送ることができる。表示はまた、パターンを示すマッピングを伝えることができ、マッピングを伝えるために、選択構成要素２０４はマッピングをマッピング記憶装置２２６から抽出することができる、または代替形態では、選択構成要素２０４はマッピング記憶装置２２６内のメモリ位置を指し示すことができる。マッピング構成要素２０８は、このような表示を受信する（例えば、表示を検出し、その中のペイロードデータを復号する）ことができ、これに応じて、マッピング構成要素２０８は、マッピングに従って、基準シンボルのＰＲＳシーケンスを複素数値変調シンボル（３ＧＰＰ  ＬＴＥネットワークまたは３ＧＰＰ  ＵＭＴＳネットワーク内のＯＦＤＭシンボル）のセットに関連付けることができる。
【００５５】
基地局２０２は、ＰＲＳシーケンスをユーザ装置２３２に無線構成要素２１２を通して伝えることができる。特定の実施形態では、基地局２０２は、基準シンボルのＰＲＳシーケンスをブロードキャストすることができる。追加のまたは代替実施形態では、基地局２０２は基準シンボルのＰＲＳシーケンスをマルチキャストまたはユニキャストすることができる。基地局２０２内の機器構成要素（図示せず）は、基準シンボルのＰＲＳシーケンスを伝達するモード（例えば、ブロードキャスト、マルチキャスト、またはユニキャスト）を構成することができる。
【００５６】
図示した実施形態では、無線構成要素２１２は、ワイヤレス通信、例えばデータおよび信号のワイヤレス送信およびワイヤレス受信を可能にする、アンテナのセット（図示せず）と様々な構成要素および関連回路（フィルタ、増幅器、（１つまたは複数の）プロセッサ、（１つまたは複数の）変調器、（１つまたは複数の）復調器など）を含むことができる。図示するように、無線構成要素２１２は、基準シンボルのＰＲＳシーケンスを伝えることができる送信構成要素２１４を含むことができる。一態様では、コーダ構成要素（図示せず）は、送信構成要素２１４の一部であってもよく、マッピング構成要素２０８によって実施され、本明細書に記載されたマッピングにより基準シンボルのＰＲＳシーケンスを符号化することができる。無線構成要素２１２はまた、ＵＥ２３２または（１つまたは複数の）ワイヤレスデバイス、モバイルまたはその他からデータまたは信号を受信することができる受信構成要素２１６を含むことができる。
【００５７】
一態様では、選択構成要素２０４は、第１の時間−周波数パターンと、第２の時間−周波数パターンと、第３の時間−周波数パターンとを確立することができ、選択構成要素２０４の一実施形態、例えば、図４に示す例示的な実施形態４００では、生成構成要素４０８は、第１の時間−周波数パターンと、第２の時間−周波数パターンと、第３の時間−周波数パターンとを作り出すことができる。代替形態では、取得構成要素４０４は、第１の周波数パターン、第２の時間−周波数パターン、または第３の時間−周波数パターンの１つまたは複数を抽出することができる。選択構成要素２０４は、時間−周波数領域内にパターンを静的または動的に確立（取得、生成など）することができる。静的確立では、時間−周波数パターンの所定のグループと関連するマッピングは、無線遠隔通信のための標準プロトコルによって示すことができ、選択構成要素２０４はこのような基準に基づいてパターンおよび関連するマッピングを取得することができる。静的であるものは時間−周波数パターンの所定のグループであり、所定のグループ内の時間−周波数パターンの各事件は時間依存である可能性があることを理解されたい。ｖshiftの値がＳＦＮに対応する時間インターバル毎に変化する可能性がある、上記例示的なマッピングを参照のこと。時間−周波数パターンの動的確立では、ワイヤレス通信システムの動作複雑性または動作状態（セル間干渉、無線チャネル品質、データトラフィックのタイプ、ネットワーク混雑など）は、少なくとも部分的に、ＰＲＳを供給するのに利用される時間−周波数パターンまたは時間−周波数パターンのグループを示すことができる。一態様では、１つまたは複数の選択領域を利用して、動作状態が時間−周波数パターンの生成を保証するかどうかを評価することができる。例えば、動作状態は、無線品質測定法、例えばセル間干渉に関連する測定法によって特徴付けることができ、無線品質測定法が、選択基準を具体化することができる基準値より下であるシナリオでは、選択構成要素２０４は動作状態に応じて時間−周波数パターンを生成することができる。生成された時間−周波数パターンは、マッピング記憶装置２２６内にマッピングとして保持することができる。
【００５８】
例示的な遠隔通信システム１００の１つまたは複数の実施形態では、基地局１０２は、携帯ワイヤレスシステム、例えば３ＧＰＰ  ＬＴＥワイヤレスネットワークまたは３ＧＰＰ  ＵＭＴＳワイヤレスネットワークなどの計画ワイヤレスネットワーク環境の一部であってもよい。このような１つまたは複数の実施形態では、基地局はＵＥの位置推定値を作り出すために１つまたは複数のＰＲＳシーケンスを消費（例えば、受信および利用）するＵＥに対する基地局の扱っているセットの一部であってもよい。（１つまたは複数の）代替または追加の実施形態では、基地局２０２は、Ｗｉ−Ｆｉネットワークまたはフェムトセルネットワークなどのプライベートまたはセミプライベート非計画ワイヤレスネットワーク環境の一部である低電力アクセスポイント（ＡＰ）であってもよい。加えて、基地局２０２では、データおよび信号、表示または指令、コード指示などを、選択構成要素２０４と、マッピング構成要素２０８と、無線構成要素２１２とメモリ２２４との間で、メモリバス、アドレスバス、メッセージバスなどで具体化することができるバス２３０を通して交換することができる。
【００５９】
例示的なシステム２００では、ユーザ装置２３２はＰＲＳを基地局２０２から無線構成要素２４０を通して受信することができる。ＰＲＳは、上に記載したように、時間−周波数パターンに従って、時間−周波数リソースのブロックにマッピングされた基準シンボルのシーケンスとして受信される。一態様では、ＰＲＳは、それぞれ異なる無線サブフレームのグループに対する変調シンボルの異なる時間−周波数パターンのグループに従って受信することができる。異なる時間−周波数パターンのグループは、一連のパターンを形成し、このようなグループの濃度またはサイズが、ポジショニング基準信号が受信される周期を決める。無線構成要素３４０は、基準シンボルのシーケンスを、少なくとも部分的に基準シンボルのシーケンスに基づいてＵＥ２３２の位置推定値を生成することができる位置構成要素２３６に伝えることができる。
【００６０】
無線構成要素２１２と同様に、無線構成要素２４０は、ワイヤレス通信、例えばデータおよび制御のワイヤレス送信およびワイヤレス受信を可能にする、アンテナのセット（図示せず）と様々な構成要素および関連回路（フィルタ、増幅器、（１つまたは複数の）プロセッサ、（１つまたは複数の）変調器、（１つまたは複数の）復調器など）を含むことができる。例示的なシステム２００で図示するように、無線構成要素２４０は、データまたは信号を基地局２０２または他の基地局に伝えることができる送信構成要素２４４を含んでいる。加えて、無線構成要素２４０は、ＰＲＳを基地局２０２から受信する受信構成要素２４６を含んでいる。一態様では、受信構成要素２４６は、ＰＲＳを輸送する一連の基準シンボルを復号する、本明細書および添付の図面内で復号器２４８とも呼ばれる、復号構成要素２４８を含んでいる。一態様では、受信構成要素２４６は、少なくともＰＲＳシーケンスを伝える無線サブフレームの時間領域構造に特有である変調シンボルの時間−周波数パターンに従って、ＰＲＳシーケンスを受信する。一態様では、復号器２４８は、通常のサイクリックプリフィックス（ＣＰ）インターバルで通常の無線サブフレームに対するＰＲＳシーケンス用の変調シンボルの第１のパターンを復号することができる。別の態様では、復号器２４８は、拡張ＣＰインターバルで通常の無線サブフレームに対する変調シンボルの第２のパターンを復号することができる。さらに別の態様では、復号器２４８は、単一の周波数ネットワーク（ＭＢＳＦＮ）サブフレーム上のマルチキャスト／ブロードキャストのために変調シンボルの第３のパターンを復号することができる。１つまたは複数の実施形態では、第１の時間−周波数パターンは図３００に示すパターンであってもよく、第２の時間−周波数パターンは図３３０に示すパターンであってもよく、第３の時間−周波数パターンは図３６０に提示するパターンであってもよい。
【００６１】
ユーザ装置２３２では、データおよび信号、表示または指令、コンピュータ実行可能コード指示などを、位置構成要素２３６と、無線構成要素２４０およびその中の（１つまたは複数の）構成要素と、メモリ２５２の間で、メモリバス、アドレスバス、メッセージバスなどで具体化することができるバス２５４を通して交換することができる。メモリ２５２は、本明細書に記載された様々な態様に関連するコンピュータ実行可能コード指示と、マッピング記憶装置２２６の複製を含むことができ、このような複製は本明細書に記載された態様により受信されるＰＲＳの復号のために利用することができる。
【００６２】
図５は、本明細書に記載された態様によるワイヤレス通信システム内でＰＲＳを供給する基地局の例示的な実施形態５００を示す。例示的なシステム４００では、選択構成要素２０４とマッピング構成要素２０８はそれぞれ、メモリ２２４内に記憶されたコンピュータ実行可能コード指示の１つまたは複数のセットで具体化される。（１つまたは複数の）プロセッサ５１０は、上記に記載した態様により、選択構成要素２０４の機能を実施するコード指示の少なくとも第１のセットを実行することができる。加えて、（１つまたは複数の）プロセッサ５１０は、上に記載した様々な態様により、マッピング構成要素２０８の機能を実施するコード指示の少なくとも第２のセットを実行することができる。したがって、（１つまたは複数の）プロセッサ５１０は、コード指示の少なくとも第１のセットとコード指示の少なくとも第２のセットの実行により、選択構成要素２０４とマッピング構成要素２０８の機能を提供するように構成されている。加えて、メモリ２２４内に保持されたコンピュータ実行可能コード指示の異なるセットの実行により、（１つまたは複数の）プロセッサ５１０は、上に記載した態様により、無線構成要素２１２を少なくとも部分的に、およびその中の１つまたは複数の構成要素を操作するように構成されている。例えば、（１つまたは複数の）プロセッサ５１０は、上に記載したように、時間−周波数パターンによりＰＲＳシーケンスを送信するように構成されている。
【００６３】
（１つまたは複数の）プロセッサ５１０は、メモリバス、アドレスバス、メッセージバスなどの１つまたは複数で具体化することができるバス５１４を介して、無線構成要素２１２とメモリ２２４に機能可能に結合される。データおよび信号、表示または指令、コード指示などは、バス５１４を通して（１つまたは複数の）プロセッサ５１０と、メモリ２２４と無線構成要素２１２との間で交換される。メモリ２２４は、本明細書に記載した態様により、本明細書に記載した様々な態様に関連するコンピュータ実行可能コード指示と、マッピング記憶装置２２６を含むことができる。
【００６４】
図６は、本明細書に記載した態様によるワイヤレス通信システム内で基地局により供給されるＰＲＳを利用するユーザ装置の例示的な実施形態６００を示している。主題の例示的なシステムでは、位置構成要素２３６と復号器２４８はそれぞれ、メモリ３５２内に記憶されたコード指示の１つまたは複数のセット内で具体化される。（１つまたは複数の）プロセッサ６１０は、上に記載した態様により、位置構成要素２３６の機能を実施するコード指示の少なくとも第１のセットを実行することができる。加えて、（１つまたは複数の）プロセッサ６１０は、上に記載した様々な態様により、復号器２４８の機能を実施するコード指示の少なくとも第２のセットを実行することができる。したがって、（１つまたは複数の）プロセッサ６１０は、コード指示の少なくとも第１のセットとコード指示の少なくとも第２のセットの実行により、位置構成要素２３６と復号器２４８の機能を提供するように構成されている。代替または追加の実施形態では、復号器２４８は無線構成要素２４０とメモリ３５２の間で分配することができ、復号器２４８の一部をコンピュータ実行可能コード指示のグループとしてメモリ３５２内に保持することができる。加えて、メモリ３５２内に保持されたコード指示の別のセットの実行により、（１つまたは複数の）プロセッサ６１０は、上に記載した態様により、無線構成要素２４０を少なくとも部分的に、およびその中の１つまたは複数の構成要素を操作するように構成されている。
【００６５】
（１つまたは複数の）プロセッサ５１０は、メモリバス、アドレスバス、メッセージバスなどの１つまたは複数で具体化することができるバス６１４を介して、無線構成要素２４０とメモリ３５２に機能可能に結合される。データおよび信号、表示または指令、コード指示などは、バス６１４を通して（１つまたは複数の）プロセッサ６１０と、メモリ３５２と無線構成要素２４０との間で交換される。
【００６６】
図７〜１０を参照すると、本明細書に開示された態様による、ワイヤレス通信間局内でＰＲＳシーケンスを生成および配信することに関する例示的な方法が図示されている。説明を単純にする目的で、例示的な方法が一連の動作として提示および記載されているが、いくつかの動作が１つまたは複数の実施形態により、本明細書に図示および記載されたものから、異なる順序でまたは他の動作と同時に起こる可能性があるので、例示的な方法は動作の順序によって限定されるものではないことを理解しそのように解釈されたい。例えば、例示的な方法、または１つまたは複数の例示的な方法のセットは別の方法では、状態図内または呼びフロー内などの、一連の相関状態またはイベントとして示すことができることを理解しそのように解釈することができる。さらに、１つまたは複数の実施形態では、本明細書に記載した２つ以上の例示的方法の組合せにより得られる、例示的な方法または例示的な手順を実施するために、全ての図示した動作を必要とするわけではない。
【００６７】
図７は、本明細書に記載された態様による、ワイヤレス通信システム内で位置基準信号（ＰＲＳ）を供給する例示的な方法７００のフローチャートを示している。主題の例示的な方法は、ワイヤレスサービスを提供するために複数のプライベートまたはセミプライベートアクセスポイントを備えた、携帯遠隔通信ネットワークワイヤレスネットワーク環境などの様々なタイプのワイヤレス通信システムで利用することができる。ワイヤレス通信システム内の１つまたは複数の基地局（例えば、携帯基地局、Ｗｉ−Ｆｉアクセスポイント、フェムトセルアクセスポイントなど）は、主題の例示的方法を実施する（例えば、実行するまたは行なう）ことができる。動作７１０では、時間−周波数領域内のパターンが選択される。上に記載したように、基準シンボルのシーケンス、例えばＰＲＳシーケンスと、時間−周波数リソースのブロック内の１つまたは複数の変調シンボルの間のマッピングによってパターンを示すことができる。さらに、パターンは、ワイヤレス通信システム内のサービスエリアセル、またはサービスエリアを扱う基地局に特有である。３ＧＰＰ  ＬＴＥワイヤレスネットワークまたは３ＧＰＰ  ＵＭＴＳワイヤレスネットワークなどの携帯ワイヤレス通信システムでは、パターンは無線サブフレーム構造に特有である可能性がある。一態様では、上に記載したように、時間−周波数領域内のパターンを選択することは、通常のサイクリックプリフィックス（ＣＰ）での無線サブフレーム構造に対する第１のパターン、拡張ＣＰでの無線サブフレーム構造に対する第２のパターン、またはマルチキャスト／ブロードキャスト単一周波数ネットワーク（ＭＢＳＦＮ）サブフレームに対する第３のパターンの少なくとも１つをメモリから抽出することを含んでいる。第１のパターンと、第２のパターンと、第３のパターンは、携帯遠隔通信システム内のサービスエリアセルに特有である可能性がある。
【００６８】
動作７２０では、ＰＲＳシーケンスは、パターンにより時間−周波数領域ナインの変調シンボル（例えば、ＯＦＤＭシンボル）のセットにマッピングされる。一態様では、マッピングを行なうために利用されるパターンまたはマッピングは、変調シンボルを時間−周波数リソースのブロック（例えば、３ＧＰＰ  ＬＴＥネットワーク内の１つまたは複数の物理リソースブロック）内の少なくとも１つの周波数トーンに割り当てる。ＰＲＳシーケンスを変調シンボルのセットにマッピングすることは、上に記載したように、マッピングを規定する１つまたは複数の関係性を評価することを含むことができる。算出は、少なくとも１つのプロセッサまたはコンピュータに１つまたは複数の関係性を評価させるコンピュータ実行可能コード指示を実行することによって可能にすることができる。動作７３０では、ＰＲＳシーケンスは、変調シンボルのセットの配信により伝えられる。１つまたは複数の実施形態では、主題の例示的な方法７００を成立させる基地局は、変調シンボルのセットをブロードキャストすることができる。代替実施形態では、基地局は変調シンボルのセットをマルチキャストまたはユニキャストすることができる。変調シンボルのセットを配信することは、ＰＲＳシーケンスの配信モード（例えば、ブロードキャスト、マルチキャストまたはユニキャスト）を構成することを含むことができる。
【００６９】
図８は、本明細書に記載された態様によりワイヤレス通信システム内でＰＲＳを伝えるように、基準シンボルのセットを生成するために時間−周波数領域内でパターンを選択する例示的な方法８００のフローチャートを示している。例示的なシナリオでは、主題の例示的な方法は、動作７１０の少なくとも一部を具体化することができる。動作８１０で、無線インターフェース品質測定法が取得（判定、回収、受信など）される。無線干渉品質測定法は、セル間干渉、熱干渉（ＩｏＴ）、信号対干渉（Ｓ／Ｉ）比、信号対雑音および干渉比（ＳＮＩＲ）の測定、またはワイヤレスシステム内の基地局に関連する干渉の他の適切な評価であってもよい。動作８２０では、無線インターフェース品質測定法が所定の閾値より上であるかどうかが判定される。無線インターフェース品質測定法が所定の閾値より上であるシナリオでは、動作８３０で、ポジショニング基準信号が一連の利用可能な時間−周波数パターンによって伝えられ、この一連のものは、個別の時間−周波数パターンのグループを含んでいる（例えば、図３参照）。逆に、無線インターフェース品質測定法が所定の閾値より下であるシナリオでは、動作８４０では、時間−周波数パターンのセットが生成される。主題の例示的な方法を成立させる基地局内の構成要素（例えば、生成構成要素４０８）は、時間−周波数パターンのセットを生成することができる。所定の閾値は、静的に構成するまたは動的に構成することができ、特定の実施形態では、主題の例示的な方法８００を行なう基地局は所定の閾値を構成することができ、さらにネットワークノード（例えば、移動性管理主体（ＭＭＥ））が所定の閾値を構成することができる。動作８５０では、ＰＲＳは少なくとも時間−周波数パターンのセットに基づいて一連の時間−周波数パターンにより伝えられる。
【００７０】
図９は、本明細書に記載された態様による、ワイヤレス通信システム内のＰＲＳシーケンスに１つまたは複数の変調シンボルを関連付けるために時間−周波数パターンを生成する例示的な方法９００のフローチャートである。例示的なシナリオでは、主題の例示的な方法は、動作８４０の少なくとも一部を具体化することができる。主題の例示的な方法により生成される時間−周波数パターンは、位置基準信号の検出中に二次相関ピークを緩和する。一実施形態では、基地局またはその中の構成要素（例えば、生成構成要素４０８）は、主題の例示的な方法により時間−周波数パターンを生成することができる。しかし、（１つまたは複数の）代替または追加の実施形態では、ネットワークノード（例えば、３ＧＰＰ  ＬＴＥネットワーク）は、主題の例示的な方法により時間−周波数パターンを生成することができる。動作９１０では、時間−周波数リソースのグループが選択される。時間−周波数リソースのグループは、周波数トーンのセットと時間インターバルのセットを含んでおり、周波数トーンのセットは電磁スペクトルの一部にまでわたる。一態様では、３ＧＰＰ  ＬＴＥネットワークまたは３ＧＰＰ  ＵＭＴＳネットワークでは、時間−周波数リソースのグループは、以下のリソースブロックにわたる。
【数１６】
2014239494.tif 000018
【００７１】
動作９２０では、周波数トーンのセット内の各周波数トーン、または副搬送波では、少なくとも１つの変調シンボルがＰＲＳシンボルを伝えるように割り当てられ、少なくとも１つの変調シンボルが、時間インターバルのセットの一部であり、その間にセル特有基準信号（ＣＲＳ）などの異なる基準信号（またはパイロット信号）が送信されない時間インターバル内に送信される。
【００７２】
図１０は、本明細書に記載された態様により供給されるＰＲＳを利用する例示的な方法１０００のフローチャートを示している。モバイルデバイスまたはＵＥは、主題の例示的な方法を行なうことができる。動作１０１０では、ポジショニング基準信号シーケンスは、少なくとも変調シンボル（例えば、ＯＦＤＭシンボル）の時間−周波数パターンにより、基地局から受信される。基地局は、扱っている基地局または扱っていない基地であってもよい。上に記載したように、変調シンボルの時間−周波数パターンは、基地局と、時間−周波数リソースのブロック、例えば周波数副搬送波またはトーンのセットおよび時間インターバルのセットに特有である。例として、３ＧＰＰ  ＬＴＥなどの携帯遠隔通信ネットワークでは、時間−周波数リソースのブロックは、ＤＬ内の１つまたは複数のリソースブロックであってもよい。ＰＲＳシーケンスを受信することは、それぞれの異なる無線サブフレームのグループに対する変調シンボルの異なる時間−周波数パターンのグループを受信することを含むことができる。異なる時間−周波数パターンのグループは、一連のパターンを形成し、このようなグループの濃度またはサイズが、ポジショニング基準信号を受信する周期を確立する。
【００７３】
加えて、変調シンボルの時間−周波数パターンは、無線インターフェース上にＰＲＳ基準シンボルを伝えることができる無線サブフレーム構造に特有である可能性がある。主題の開示の態様では、３ＧＰＰ  ＬＴＥネットワークまたは３ＧＰＰ  ＵＭＴＳネットワークでは、少なくとも変調シンボルの時間−周波数パターンによりＰＲＳシーケンスを受信することは、異なる無線サブフレーム時間構造に対して異なるように達成することができる。シナリオでは、受信動作１０１０は、通常のサイクリックプリフィックス（ＣＰ）インターバルで通常の無線サブフレームに対するＰＲＳシーケンス用の変調シンボルの第１のパターンを復号することを含むことができる。別のシナリオでは、受信動作１０１０は、拡張ＣＰインターバルで通常の無線サブフレームに対する変調シンボルの第２のパターンを復号することを含むことができる。さらに別のシナリオでは、受信動作は、単一の周波数ネットワーク（ＭＢＳＦＮ）サブフレーム上のマルチキャスト／ブロードキャストのために変調シンボルの第３のパターンを復号することを含むことができる。動作１０２０では、少なくともＰＲＳシーケンスが位置推定値を生成するためにプロセスの一部として利用され、一態様では、位置推定値は主題の例示的な方法を成立させるモバイルデバイスの位置に近い。
【００７４】
本明細書に記載した１つまたは複数の態様によると、本明細書に記載した態様によりＰＲＳシーケンスを供給することに関連して干渉を行なうことができることが分かるだろう。例として、パターンが中に規定される時間−周波数リソースのブロック内の各周波数副搬送波に対する少なくとも１つの複素数値変調シンボルを割り当てるパターンの時間−周波数構造に関して干渉を行なうことができ、少なくとも１つの変調シンボルはＰＲＳを伝える。このようなパターンの干渉は、（１つまたは複数の）異なるサービスエリアセルに関連した（１つまたは複数の）異なる時間−周波数パターンとのスペクトルの重なりを減少させることを対象とすることができる本明細書で使用されるように、「干渉する」または「干渉」という用語は全体的に、イベントおよび／またはデータを介して捕捉されるような観察のセットからシステム、環境、および／またはユーザの状態に関する理由付けまたは干渉のプロセスのことを言う。干渉を利用して特定の内容または動作を識別することができる、または例えば状態上に確率分布を生成することができる。干渉は確率的である可能性がある、すなわち、データとイベントの検討に基づいて、当該状態上で確率分布を算出することである。干渉はまた、イベントおよび／またはデータのセットからより高いレベルのイベントを構成するために利用される技術のことを言うことができる。このような干渉の結果、イベントが一時的に近接して相関しているかどうか、またイベントとデータが１つまたはいくつかのイベントとデータソースから来るかどうかに関わらず、観察したイベントおよび／または記憶したイベントデータのセットから新しいイベントまたは動作を構成することにつながる。
【００７５】
図１１は、本明細書に記載された機能の様々な態様を実施するために利用することができる例示的なシステム１１００を示している。システム１１００は基地局１１０２（例えば、基地局２０２）を含むことができる。基地局１１０２は、１つまたは複数の受信（Ｒｘ）アンテナ１１０６を介して１つまたは複数のＵＥ１１０４から（１つまたは複数の）信号を受信し、１つまたは複数の送信（Ｔｘ）アンテナ１１０８を介して１つまたは複数のＵＥ１１０４に送信することができる。さらに、基地局１１０２は、（１つまたは複数の）受信アンテナ１１０６から情報を受信する受信機１１１０を含むことができる。一例により、受信機１１１０は、受信情報を復調する復調器（ｄｅｍｏｄ）１１１２に動作可能に関連付けることができる。復調させたシンボルをプロセッサ１１１４によって解析することができる。プロセッサ１１１４は、（１つまたは複数の）ＵＥ１１０４に送信されるまたはそこから受信されるデータ、および／または本明細書に記載された様々な動作および機能を行なうことに関連するあらゆる他の適切なプロトコル、アルゴリズム、情報などを記憶または保持することができる、メモリ１１１６に結合させることができる。例えば、基地局１１０２は、例示的な方法７００、例示的な方法８００、例示的な方法９００、または本明細書に記載された態様によりポジショニング基準信号を供給するための他の同様の適切な例示的な方法を行なうためにプロセッサ１１１４を利用することができる。基地局１１０２はさらに、（１つまたは複数の）アンテナ１１０８を通して送信機１１２０による伝達のために信号を多重化することができる変調器１１１８を含むことができる。
【００７６】
プロセッサ１１１４は、受信機１１１０により受信される情報解析に専用の、送信機１１２０による送信のための情報生成に専用の、または基地局１１０２の１つまたは複数の構成要素制御に専用のプロセッサであってもよい。別の例によると、プロセッサ１１１４は、受信機１１１０によって受信される情報を解析し、送信機１１２０による送信のために情報を生成し、基地局１１０２の１つまたは複数の構成要素を制御することができる。基地局１１０２の１つまたは複数の構成要素は、例えば、選択構成要素２０４、マッピング構成要素２０８、送信構成要素２１４、受信構成要素２１６、またはこのような構成要素の組合せを含むことができる。さらに、図示しないが、基地局１１０２の１つまたは複数の構成要素は、基地局１１０２内のプロセッサ１１１４または複数のプロセッサの一部であってもよい。
【００７７】
図１２は、本明細書に記載された機能の様々な態様を実施するために利用することができる例示的なシステム１２００を示している。システム１２００は、ＵＥ１２０２（例えば、ＵＥ２３２）を含むことができる。ＵＥ１２０２は、１つまたは複数の基地局１２０４から（１つまたは複数の）信号を受信する、および／または１つまたは複数の基地局１２０６を介して１つまたは複数の基地局１２０４に送信することができる。さらに、ＵＥ１２０２は、（１つまたは複数の）アンテナ１２０６から情報を受信する受信機１２０８を含むことができる。一例により、受信機１２０８は受信情報を復調する復調器（ｄｅｍｏｄ）１１２０に動作可能に関連付けることができる。復調させたシンボルをプロセッサ１２１２によって解析することができる。プロセッサ１２１２は、（１つまたは複数の）基地局１２０４に送信されるまたはそこから受信されるデータ、および／または本明細書に記載された様々な動作および機能を行なうことに関連するあらゆる他の適切なプロトコル、アルゴリズム、情報などを記憶または保持することができる、メモリ１２１４に結合させることができる。例えば、ＵＥ１２０２は、例示的な方法１０００、および／または本明細書に開示された態様により基地局によって供給される（１つまたは複数の）ＰＲＳシーケンスを消費するための他の同様の適切な例示的な方法を行なうためにプロセッサ１２１２を利用することができる。ＵＥ１２０２はさらに、（１つまたは複数の）アンテナ１２０６を通して送信機１２１８よる伝達のために信号を多重化することができる変調器１２１６を含むことができる。
【００７８】
プロセッサ１２１２は、受信機１２０８により受信される情報解析に専用の、送信機１２１８による送信のための情報生成に専用の、またはＵＥ１２０２の１つまたは複数の構成要素制御に専用のプロセッサであってもよい。別の例によると、プロセッサ１２１２は、受信機１２０８によって受信される情報を解析し、送信機１２１８による送信のために情報を生成し、ＵＥ１２０２の１つまたは複数の構成要素を制御することができる。ＵＥ１２０２の１つまたは複数の構成要素は、例えば、位置構成要素２３６、復号構成要素２４８、送信構成要素２４４、受信構成要素２４６、またはこのような構成要素の組合せを含むことができる。さらに、図示しないが、ＵＥ１２０２の１つまたは複数の構成要素は、プロセッサ１２１２または複数のプロセッサ（図示せず）の一部であってもよい。
【００７９】
図１３は、例示的なワイヤレス通信システム１３００を示している。例示的なワイヤレス通信システム１３００は、簡潔にする目的で、１つの基地局１３０１と１つのＵＥ１３５０を示している。しかし、例示的なワイヤレス通信システム１３００は、２つ以上の基地局および／または２つ以上のＵＥを含むことができ、追加の基地局および／またはＵＥは以下に記載する例示的な基地局１３１０とＵＥ１３５０と実質的に同様である、または異なっていてもよいことを理解されたい。加えて、基地局１３１０および／またはＵＥ１３５０は、その間のワイヤレス通信を可能にするために、本明細書に記載したシステム（例えば、図１、２および５〜６）および／または方法（図７〜１０）を利用することができることを理解されたい。
【００８０】
基地局１３１０では、多くのデータストリーム用のトラフィックデータが、データソース１３１２から送信（ＴＸ）データプロセッサ１３１４に与えられる。一例によると、各データストリームはそれぞれのアンテナ上で送信することができる。ＴＸデータプロセッサ１３１４は、符号化されたデータを与えるためにそのデータストリームに対して選択された特定の符号化スキームに基づいて、トラフィックデータストリームをフォーマット化し、符号化し、インターリーブする。
【００８１】
各データストリーム用の符号化データは、垂直周波数分割多重化（ＯＦＤＭ）技術を使用して、パイロットデータで多重化することができる。加えてまたは別の方法では、パイロットシンボルは、周波数分割多重化（ＦＤＭ）、時間分割多重化（ＴＤＭ）、または符号分割多重化（ＣＤＭ）することができる。パイロットデータは典型的には、知られている方法で処理される、知られているデータパターンであり、チャネル応答を推定するためにＵＥ１３５０で使用することができる。各データストリームに対する多重化されたパイロットおよび符号化されたデータは、変調シンボルを与えるためにそのデータストリームに対して選択された、特定の変調スキーム（例えば、二相位相変調（ＢＰＳＫ）、直角位相変調（ＱＰＳＫ）、Ｍ位相変調（Ｍ−ＰＳＫ）、Ｍ直角振幅変調（Ｍ−ＱＡＭ）など）に基づいて変調（例えば、シンボルマッピング）することができる。各データストリームに対するデータ転送速度、コーディング、および変調は、プロセッサ１３３０によって行なわれるまたは提供される指示によって判定することができる。
【００８２】
データストリーム用変調シンボルは、ＴＸ  ＭＩＭＯプロセッサ１３２０に提供することができ、さらに（例えば、ＯＦＤＭに対する）変調シンボルを処理することができる。ＴＸ  ＭＩＭＯプロセッサ１３２０はその後、ＮT変調シンボルストリームをＮT送信機（ＴＭＴＲ）１３２２ａ〜１３２２ｔに与える。様々な実施形態では、ＴＸ  ＭＩＭＯプロセッサ１３２０は、データストリームのシンボルに、またシンボルがそこから送信されているアンテナにビーム形成重量を加える。
【００８３】
各送信機１３２２は、１つまたは複数のアナログ信号を提供するためにそれぞれのシンボルストリームを受信および処理し、さらに、ＭＩＭＯチャネル上での送信に適切な変調信号を与えるようにアナログ信号を調整（例えば、増幅、フィルタリング、およびアップコンバート）する。さらに、送信機１３２２ａ〜１３２２ｔからのＮT変調信号は、ＮTアンテナ１３２４ａ〜１３２４ｔからそれぞれ送信される。
【００８４】
ＵＥ１３５０では、送信された変調信号はＮRアンテナ１３５２ａ〜１３５２ｒによって受信され、アンテナ１３５２ａ〜１４５２ｒのグループの各アンテナからの受信信号は、それぞれの受信機（ＲＣＶＲ）１３５４ａ〜１３５４ｒに与えられる。各受信機１３５４は、それぞれの信号を調整（例えば、フィルタリング、増幅およびダウンコンバート）し、サンプルを提供するために調整した信号をデジタル化し、さらに、対応する「受信した」シンボルストリームを与えるためにサンプルを処理する。
【００８５】
ＲＸデータプロセッサ１３６０は、ＮT「検出」シンボルストリームを与えるための特定の受信機処理技術に基づいて、ＮＲ受信機１３５４からＮR受信シンボルストリームを受信および処理することができる。ＲＸデータプロセッサ１３６０は、データストリーム用のトラフィックデータを回復させるために、各検出シンボルストリームを復調、デインターリーブ、および復号することができる。ＲＸデータプロセッサ１３６０による処理は、基地局１３１０でＴＸ  ＭＩＭＯプロセッサ１３２０とＴＸデータプロセッサ１３１４によって行なわれるものと相補的である。
【００８６】
プロセッサ１３７０は、上に論じたように、どの利用可能技術を利用するかを周期的に判定することができる。さらに、プロセッサ１３７０は、マトリックス指数部とランク値部を備えたアップリンクメッセージを公式化することができる。
【００８７】
アップリンクメッセージは、遠隔通信リンクおよび／または受信データストリームに関する様々なタイプの情報を備えることができる。アップリンクメッセージは、データソース１３３６からの多くのデータストリーム用のトラフィックデータを受信するＴＸデータプロセッサ１３３８によって処理し、変調器１３８０によって変調し、送信機１３５４ａ〜１３５４ｒによって調整し、基地局１３０に再び送信することができる。
【００８８】
基地局１３１０では、ＵＥ１３５０からの変調信号は、アンテナ１３２４によって受信され、受信機１３２２によって調整され、復調器１３４０によって復調され、ＲＸデータプロセッサ１３４２によって処理されて、ＵＥ１３５０によって伝達されるアップリンクメッセージを抽出する。さらに、プロセッサ１３３０は、ビーム形成重量を判定するためにどのプレコーディングマトリックスを使用するかを判定するために抽出したメッセージを処理することができる。
【００８９】
プロセッサ１３３０と１３７０は、基地局１３１０とＵＥ１３５０でそれぞれ動作を案内（例えば、制御、調節、管理など）することができる。それぞれのプロセッサ１３３０と１３７０は、プログラムコードとデータを記憶するメモリ１３３２と１３７２に関連付けることができる。プロセッサ１３３０と１３７０はまた、それぞれアップリンクおよびダウンリンクに対する周波数とインパルス応答推定値を導きだすために計算を行なうことができる。
【００９０】
図１４は、主題の開示の様々な態様を実施または利用するための例示的なワイヤレス通信システム１４００を示している。図示するように、例示的なワイヤレス通信システム１４００は、多数の基地局、または代替形態では、フェムトセル、ホームノードＢユニット（ＨＮＢ）、またはＨＮＢ１４１０などのホーム進化型ノードＢユニット（ＨｅＮＢ）を含んでおり、それぞれ、１つまたは複数のユーザ住居１４３０内などの対応する小規模ネットワーク環境内に設置され、関連する、また異質のユーザ装置（ＵＥ）または移動局１４２０を扱うように構成されている。移動局１４２０は、例えば１つまたは複数のＨＮＢ１４１０によって提供されるワイヤレスサービスエリアへのマクロセルアクセス１４３０を介して提供されるワイヤレスサービスからハンドオフすることができる。各ＨＮＢ１４１０はさらに、ＤＳＬルータ（図示せず）、または別の方法では、ケーブルモデム（図示せず）を介して、インターネット１４５０とモバイルオペレータコアネットワーク１４６０に結合されている。
【００９１】
図１５〜１６は、本明細書に記載された態様により、ワイヤレス遠隔通信システム内のポジショニング基準信号の供給および利用を可能にする例示的なシステム１５００と１６００をそれぞれ示している。例示的なシステム１５００は、少なくとも部分的に基地局（例えば、２０２）内にある可能性がある。システム１５００は、機能ブロック、またはプロセッサ、ソフトウェア、またはその組合せ（例えば、ファームウェア）によって実施される機能を示す機能ブロックである可能性がある電子回路を含むように示されていることを理解されたい。図示するように、例示的なシステム１５００は、時間−周波数領域内のパターンを選択するための電子回路（回路とも言う）１５０５であって、時間−周波数領域内のパターンは、変調シンボルを時間−周波数リソースのブロック内の各周波数トーンに割り当てる電子回路と、少なくともパターンにより時間−周波数領域内の変調シンボルのセットにポジショニング基準信号（ＰＲＳ）をマッピングするための回路１５１０と、変調シンボルのセットの配信によりＰＲＳシーケンスを伝えるための回路１５１５とを備えている。
【００９２】
加えて、例示的なシステム１５００は、通常のサイクリックプリフィックス（ＰＣ）で無線サブフレーム構造に対する第１のパターン、拡張ＣＰで無線サブフレーム構造に対する第２のパターン、またはマルチキャスト／ブロードキャスト単一周波数ネットワーク（ＭＢＳＦＮ）サブフレームに対する第３のパターンの少なくとも１つを取得する回路１５２０を備えており、第１のパターンと、第２のパターンと第３のパターンが携帯遠隔通信システム内のサービスエリアセルに特有である。さらに、例示的なシステム１５００は、タイムスケジュールまたは所定のイベントの少なくとも１つにより時間−周波数領域内にパターンを生成するための回路１５２５と、周波数トーンのセットと時間インターバルのセットを含む時間−周波数リソースのグループを選択するための回路１５３０と、ＰＲＳを伝えるために少なくとも１つの変調シンボルを割り当てるための回路１５３５であって、少なくとも１つの変調シンボルが、異なる基準信号がその間に送信されない時間インターバルに送信される回路とを備えている。一態様では、回路１５３５は、周波数トーンのセット内の各周波数トーン、または周波数トーンのセット内のグループに対して利用することができる。さらに、例示的なシステム１５００は、タイムスケジュールまたは所定のイベントの少なくとも１つにより、時間−周波数領域内の現在のパターンから時間−周波数領域内の更新パターンに切り換えるための回路１５４０を備えている。
【００９３】
例示的なシステム１５００はまた、上に記載したように、記載した回路の一部である可能性がある少なくとも１つのプロセッサ（図示せず）による実行に応じて、時間−周波数リソースのブロック内の変調シンボルにＰＲＳ基準シンボルをマッピングする時間−周波数パターンによるＰＲＳのコーティングに関して、本明細書に記載した態様または特性により、例示的なシステム１５００の一部である回路の機能を実施または可能にする、コンピュータ実行可能コード指示を１つまたは複数セット保持することができるメモリ１５４５を備えている。特定の実施形態では、少なくとも１つのプロセッサ（図示せず）は、例示的なシステム１５００の一部である回路の間で分配することができる。代替または追加の実施形態では、少なくとも１つのプロセッサを、例示的なシステム１５００内で、ある部分、例えば特定の回路内に集中させることができる。メモリ１５５５内に保持されたコンピュータ実行可能コード指示の１つまたは複数のセットにより、回路に関連する機能を実行することが可能になる。メモリ１５５５の外部にあるように示されているが、回路１５０５、１５１０、１５１５、１５２０、１５２５、１５３０、１５３５または１５４０の１つまたは複数は、メモリ１５５５内にある可能性があることを理解されたい。メモリ１５５５はまた、供給のために利用される様々な時間−周波数パターンを示すことができる１つまたは複数のマッピングを規定する１つまたは複数のパラメータを保持することができる。
【００９４】
インターフェース１５５０は、例示的なシステム１５００の様々な回路の間でのデータ（例えば、コード指示、パラメータ・・・）の交換を可能にする。少なくともこのような目的で、インターフェース１５５０は、（１つまたは複数の）メモリバス、（１つまたは複数の）アドレスバス、（１つまたは複数の）メッセージバス、有線またはワイヤレスリンクなどの様々なアーキテクチャを含むことができる。
【００９５】
例示的なシステム１５００の様々な実施形態は、その１つまたは複数の構造変更形態により達成することができ、回路１５０５、１５１０、１５１５、１５２０、１５２５、１５３０、１５３５または１５４０の１つまたは複数が異なる回路内に組み合わせられる。一例として、回路１５０５は、回路１５２０、回路１５２５、または回路１５３５の１つまたは複数と組み合わせることができる。別の例として、回路１５２５は、回路１５３０と回路１５３５と組み合わせることができる。
【００９６】
例示的なシステム１６００は、少なくともユーザ装置（例えば、ＵＥ２３２）内にある可能性がある。システム１６００は、機能ブロック、またはプロセッサ、ソフトウェア、またはその組合せ（例えば、ファームウェア）によって実施される機能を示す機能ブロックである可能性がある電子回路を含むように示されていることを理解されたい。図示するように、例示的なシステム１６００は、少なくとも変調シンボルの時間−周波数パターンによりポジショニング基準信号（ＰＲＳ）シーケンスを基地局から受信するための電子回路（回路とも言う）１６０５であって、時間−周波数パターンが変調シンボルを時間−周波数リソースのブロック内の各周波数トーンに割り当てる回路と、位置推定値を作り出すように、プロセスの一部として少なくともＰＲＳシーケンスを利用するための回路１６１０とを含んでいる。
【００９７】
加えて、例示的なシステム１６００は、少なくとも変調シンボルの時間−周波数パターンを復号するための回路１６１５を含んでいる。１つまたは複数の実施形態では、回路１６１５は回路１６１５の一部であってもよい。さらに、例示的なシステム１６００は、通常のサイクリックプリフィックス（ＰＣ）で無線サブフレーム構造に対するＰＲＳシーケンス用の変調シンボルの第１のパターンを復号するための回路１６２０と、拡張したサイクリックプリフィックス（ＣＰ）で無線サブフレーム構造に対するＰＲＳシーケンス用の変調シンボルの第２のパターンを復号するための回路１６２５と、単一の周波数ネットワーク（ＭＢＳＦＮ）サブフレーム上のマルチキャスト／ブロードキャストのためにＰＲＳシーケンス用の変調シンボルの第３のパターンを復号する回路１６３０とを含んでいる。特定の実施形態では、回路１６２０と、回路１６２５と回路１６３０の１つまたは複数を回路１６１５に組み合わせることができる。
【００９８】
例示的なシステム１６００はまた、本明細書に記載した態様により、記載した回路の一部である可能性がある少なくとも１つのプロセッサ（図示せず）による実行に応じて、ＰＲＳの消費（例えば、受信、復号および利用）に関して、本明細書に記載した態様または特性により、例示的なシステム１６００の一部である回路の機能を実施または可能にする、コンピュータ実行可能コード指示を１つまたは複数セット保持することができるメモリ１６３５を含んでいる。特定の実施形態では、少なくとも１つのプロセッサ（図示せず）は、例示的なシステム１６００の一部である回路の間で分配することができる。代替または追加の実施形態では、少なくとも１つのプロセッサを、例示的なシステム１６００内で、ある部分、例えば特定の回路内に集中させることができる。メモリ１６３５内に保持されたコンピュータ実行可能コード指示の１つまたは複数のセットにより、回路に関連する機能を実行することが可能になる。メモリ１６３５の外部にあるように示されているが、回路１６０５、１６１０、１６１５、１６２０、１６２５、または１６３０の１つまたは複数は、メモリ１６３５内にある可能性があることを理解されたい。メモリ１６３５はまた、供給のために利用される様々な時間−周波数パターンを示すことができる１つまたは複数のマッピングを規定する１つまたは複数のパラメータを保持することができる。
【００９９】
インターフェース１６４０は、例示的なシステム１６００の様々な回路の間でのデータ（例えば、コード指示、パラメータ・・・）の交換を可能にする。少なくともこのような目的で、インターフェース１６５０は、（１つまたは複数の）メモリバス、（１つまたは複数の）アドレスバス、（１つまたは複数の）メッセージバス、有線またはワイヤレスリンクなどの様々なアーキテクチャを含むことができる。
【０１００】
例示的なシステム１６００の様々な実施形態は、その１つまたは複数の構造変更形態により達成することができ、回路１６０５、１６１０、１６１５、１６２０、１６２５、または１６３０の１つまたは複数が異なる回路内に組み合わせられる。
【０１０１】
開示した方法またはプロセス内のステップまたは動作の特定の順序または階層は、適切な解決法の一例であることを理解されたい。設計嗜好に基づいて、プロセス内のステップまたは動作の特定の順序または階層を、本開示の範囲内にあるままで再配置することができることを理解されたい。添付の方法クレームは、サンプルの順序として様々なステップまたは動作の要素を提示しており、提示した特定の順序または階層に限ることを意図するものではない。
【０１０２】
当業者は、情報および信号を様々な異なるテクノロジーおよび技術のいずれかを使用して示すことができることが分かるだろう。例えば、上に記載全体を通して参照した可能性があるデータ、指示、コマンド、情報、信号、ビット、シンボルおよびチップは、電圧、電流、電磁波、磁場または粒子、光場または粒子、またはそのあらゆる組合せによって示すことができる。
【０１０３】
当業者はさらに、本明細書に開示された実施形態に関して記載した様々な例示的論理ブロック、モジュール、回路およびアルゴリズムステップは、ハードウェア、コンピュータソフトウェア、または両方の組合せとして実施することができることが分かるだろう。ハードウェアとソフトウェアのこのような交換可能性を明確に示すために、様々な例示的構成要素、ブロック、モジュール、回路およびステップを、全体的にその機能に関して上に記載した。このような機能がハードウェアまたはソフトウェアとして実施されるかどうかは、システム全体に課される特定の応用例と設計の制約による。当業者は、各特定の応用例に対して様々な方法で記載した機能を実施することができるが、このような実施判断は、本開示の範囲から逸脱するものと解釈すべきではない。
【０１０４】
本明細書に記載された態様は、ハードウェア、ソフトウェア、ファームウェア、ミドルウェア、マイクロコード、またはそのあらゆる組合せで実施することができることを理解されたい。ハードウェア実施では、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書に記載した機能を行なうように設計された他の電子ユニット、またはその組合せ内で実施することができる。
【０１０５】
実施形態がソフトウェア、ファームウェア、ミドルウェアまたはマイクロコード、プログラムコードまたはコードセグメント内で実施される場合、記憶構成要素などの機械読取可能記憶媒体に記憶することができる。コードセグメントは、手順、機能、サブプログラム、プログラム、ルーチン、サブルーチン、モジュール、ソフトウェアパッケージ、クラス、または指示、データ構造またはプログラムステートメントのあらゆる組合せを示すことができる。コードセグメントは、情報、データ、引数、パラメータまたはメモリコンテンツを受け渡すおよび／または受信することによって、別のコードセグメントまたはハードウェア回路に結合させることができる。情報、引数、パラメータ、データなどは、メモリ共有、メッセージ受け渡し、トークン受け渡し、ネットワーク送信などを含むあらゆる適切な手段を使用して受け渡す、転送する、または送信することができる。
【０１０６】
ソフトウェア実施では、本明細書に記載した技術は、本明細書に記載した機能を行なうモジュール（例えば、手順、機能など）で実施することができる。ソフトウェアコードは、メモリユニット内に記憶または保持することができ、プロセッサによって実行することができる。メモリユニットは、プロセッサ内にまたはプロセッサの外部で実施することができ、この場合、当技術分野では知られているように、様々な手段を介してプロセッサに通信可能に結合させることができる。
【０１０７】
本明細書で開示されている実施形態に関して記載した方法またはアルゴリズムのステップまたは動作は、ハードウェア内で、プロセッサによって実行されるソフトウェアモジュール内で、または２つの組合せ内で直接具体化することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られているあらゆる他の形の記憶媒体内にある可能性がある。例示的な記憶媒体は、プロセッサに結合され、それによってプロセッサは記憶媒体から情報を読み取り、そこに情報を書き込むことができる。代替形態では、記憶媒体はプロセッサと一体化させることができる。プロセッサおよび記憶媒体はＡＳＩＣ内にある可能性がある。ＡＳＩＣは、ユーザ端末内にある可能性がある。代替形態では、プロセッサと記憶媒体は、ユーザ端末内の別個の構成要素としてある可能性がある。
【０１０８】
上に記載したものは、１つまたは複数の実施形態の例を含んでいる。もちろん、前述の態様を説明する目的で構成要素または手順の全ての考えられる組合せを説明することは可能ではないが、当業者は、様々な態様の多くの別の組合せおよび置換が可能であることが分かるだろう。したがって、記載した態様は、添付の特許請求の範囲の精神および範囲内に含まれるこのような変更、修正および変化全てを含んでいることを意図している。さらに、「含んでいる」という用語が詳細な説明または特許請求の範囲のいずれかで使用されている範囲において、このような用語は、「備えている」という用語と同様の方法で包括的であることを意図している。というのは、「備えている」は、特許請求の範囲では暫定的な語として利用する場合に解釈されるからである。
【図１】
2014239494.tif 000037
【図２】
2014239494.tif 000038
【図３】
2014239494.tif 000039
【図４】
2014239494.tif 000040
【図５】
2014239494.tif 000041
【図６】
2014239494.tif 000042
【図７】
2014239494.tif 000043
【図８】
2014239494.tif 000044
【図９】
2014239494.tif 000045
【図１０】
2014239494.tif 000046
【図１１】
2014239494.tif 000047
【図１２】
2014239494.tif 000048
【図１３】
2014239494.tif 000049
【図１４】
2014239494.tif 000050
【図１５】
2014239494.tif 000051
【図１６】
2014239494.tif 000052
【手続補正書】
【提出日】平成26年8月22日(2014.8.22)
【手続補正１】
【補正対象書類名】特許請求の範囲
【補正対象項目名】全文
【補正方法】変更
【補正の内容】
【特許請求の範囲】
【請求項１】
時間−周波数領域内のパターンを選択することであって、時間−周波数領域内の前記パターンは時間−周波数リソースのブロック内の各周波数トーンに変調シンボルを割り当てることと、
少なくとも前記パターンによって時間−周波数領域内の変調シンボルのセットにポジショニング基準信号（ＰＲＳ）シーケンスをマッピングすることと、
変調シンボルの前記セットの配信により前記ＰＲＳシーケンスを伝えることとを備えた方法。
【手続補正２】
【補正対象書類名】明細書
【補正対象項目名】００９０
【補正方法】変更
【補正の内容】
【００９０】
図１４は、主題の開示の様々な態様を実施または利用するための例示的なワイヤレス通信システム１４００を示している。図示するように、例示的なワイヤレス通信システム１４００は、多数の基地局、または代替形態では、フェムトセル、ホームノードＢユニット（ＨＮＢ）、またはＨＮＢ１４１０などのホーム進化型ノードＢユニット（ＨｅＮＢ）を含んでおり、それぞれ、１つまたは複数のユーザ住居１４３０内などの対応する小規模ネットワーク環境内に設置され、関連する、また異質のユーザ装置（ＵＥ）または移動局１４２０を扱うように構成されている。移動局１４２０は、例えば１つまたは複数のＨＮＢ１４１０によって提供されるワイヤレスサービスエリアへのマクロセルアクセス１４４０を介して提供されるワイヤレスサービスからハンドオフすることができる。各ＨＮＢ１４１０はさらに、ＤＳＬルータ（図示せず）、または別の方法では、ケーブルモデム（図示せず）を介して、インターネット１４５０とモバイルオペレータコアネットワーク１４６０に結合されている。
【手続補正３】
【補正対象書類名】明細書
【補正対象項目名】００９３
【補正方法】変更
【補正の内容】
【００９３】
例示的なシステム１５００はまた、上に記載したように、記載した回路の一部である可能性がある少なくとも１つのプロセッサ（図示せず）による実行に応じて、時間−周波数リソースのブロック内の変調シンボルにＰＲＳ基準シンボルをマッピングする時間−周波数パターンによるＰＲＳのコーティングに関して、本明細書に記載した態様または特性により、例示的なシステム１５００の一部である回路の機能を実施または可能にする、コンピュータ実行可能コード指示を１つまたは複数セット保持することができるメモリ１５４５を備えている。特定の実施形態では、少なくとも１つのプロセッサ（図示せず）は、例示的なシステム１５００の一部である回路の間で分配することができる。代替または追加の実施形態では、少なくとも１つのプロセッサを、例示的なシステム１５００内で、ある部分、例えば特定の回路内に集中させることができる。メモリ１５４５内に保持されたコンピュータ実行可能コード指示の１つまたは複数のセットにより、回路に関連する機能を実行することが可能になる。メモリ１５４５の外部にあるように示されているが、回路１５０５、１５１０、１５１５、１５２０、１５２５、１５３０、１５３５または１５４０の１つまたは複数は、メモリ１５４５内にある可能性があることを理解されたい。メモリ１５４５はまた、供給のために利用される様々な時間−周波数パターンを示すことができる１つまたは複数のマッピングを規定する１つまたは複数のパラメータを保持することができる。
【手続補正４】
【補正対象書類名】明細書
【補正対象項目名】００９９
【補正方法】変更
【補正の内容】
【００９９】
インターフェース１６４０は、例示的なシステム１６００の様々な回路の間でのデータ（例えば、コード指示、パラメータ・・・）の交換を可能にする。少なくともこのような目的で、インターフェース１６４０は、（１つまたは複数の）メモリバス、（１つまたは複数の）アドレスバス、（１つまたは複数の）メッセージバス、有線またはワイヤレスリンクなどの様々なアーキテクチャを含むことができる。
【手続補正５】
【補正対象書類名】明細書
【補正対象項目名】０１０８
【補正方法】変更
【補正の内容】
【０１０８】
上に記載したものは、１つまたは複数の実施形態の例を含んでいる。もちろん、前述の態様を説明する目的で構成要素または手順の全ての考えられる組合せを説明することは可能ではないが、当業者は、様々な態様の多くの別の組合せおよび置換が可能であることが分かるだろう。したがって、記載した態様は、添付の特許請求の範囲の精神および範囲内に含まれるこのような変更、修正および変化全てを含んでいることを意図している。さらに、「含んでいる」という用語が詳細な説明または特許請求の範囲のいずれかで使用されている範囲において、このような用語は、「備えている」という用語と同様の方法で包括的であることを意図している。というのは、「備えている」は、特許請求の範囲では暫定的な語として利用する場合に解釈されるからである。
以下に、本願出願の当初の特許請求の範囲に記載された発明を付記する。
［１］時間−周波数領域内のパターンを選択することであって、時間−周波数領域内の前記パターンは時間−周波数リソースのブロック内の各周波数トーンに変調シンボルを割り当てることと、
少なくとも前記パターンによって時間−周波数領域内の変調シンボルのセットにポジショニング基準信号（ＰＲＳ）シーケンスをマッピングすることと、
変調シンボルの前記セットの配信により前記ＰＲＳシーケンスを伝えることとを備えた方法。
［２］前記選択することが、通常のサイクリックプリフィックス（ＣＰ）での無線サブフレーム構造に対する第１のパターン、拡張ＣＰでの無線サブフレーム構造に対する第２のパターン、またはマルチキャスト／ブロードキャスト単一周波数ネットワーク（ＭＢＳＦＮ）サブフレームに対する第３のパターンの少なくとも１つをメモリから取得することを含んでおり、前記第１のパターンと、前記第２のパターンと、前記第３のパターンは、携帯遠隔通信システム内のサービスエリアセルに特有である、［１］に記載の方法。
［３］前記選択することは、タイムスケジュールまたは所定のイベントの少なくとも１つにより時間−周波数領域内にパターンを生成することを含んでいる、［１］に記載の方法。
［４］前記生成することは、周波数トーンのセットと時間インターバルのセットを含む時間−周波数リソースのグループを選択することと、
前記周波数トーンのセット内の各周波数トーンに対して、ＰＲＳを伝えるために少なくとも１つの変調シンボルを割り当てることであって、前記少なくとも１つの変調シンボルが、異なる基準信号がその間に送信されない時間インターバルに送信されることとを含む、［３］に記載の方法。
［５］前記選択することは、タイムスケジュールまたは所定のイベントの少なくとも１つにより、時間−周波数領域内の現在のパターンから時間−周波数領域内の更新パターンに切り換えることを含む、［１］に記載の方法。
［６］時間−周波数領域内のパターンを選択することであって、時間−周波数領域内の前記パターンは時間−周波数リソースのブロック内の各周波数トーンに変調シンボルを割り当てることと、少なくともパターンに従って時間−周波数領域内の変調シンボルのセットにポジショニング基準信号（ＰＲＳ）シーケンスをマッピングすることと、前記変調シンボルのセットの配信により前記ＰＲＳシーケンスを伝えることとに関連する指示を保持する少なくともメモリと、
少なくとも前記メモリに機能可能に結合され、少なくとも前記メモリ内に保持された前記指示を実行するように構成された少なくともプロセッサとを備えた装置。
［７］前記選択することに関連する前記指示が、通常のサイクリックプリフィックス（ＣＰ）での無線サブフレーム構造に対する第１のパターン、拡張ＣＰでの無線サブフレーム構造に対する第２のパターン、またはマルチキャスト／ブロードキャスト単一周波数ネットワーク（ＭＢＳＦＮ）サブフレームに対する第３のパターンの少なくとも１つをメモリから取得することに関連する指示を含んでおり、前記第１のパターンと、前記第２のパターンと、前記第３のパターンは、携帯遠隔通信システム内のサービスエリアセルに特有である、［６］に記載の装置。
［８］前記第１のパターンは周波数領域指数を確立する第１の関係性を少なくとも含んでおり、前記第１の関係性は第１の静的オフセットと第１の時間依存オフセットの追加を含んでおり、前記第１の時間依存オフセットは時間領域指数およびタイムスロットのパリティによって規定される数の第１のシーケンスと、前記携帯遠隔通信システム内の前記サービスエリアセルの指数によって部分的に判定される第１の定数に基づいている、［７］に記載の装置。
［９］前記第１の静的オフセットが６ｍであり、式中ｍは１のインクリメントで０から
【数１７】
2014239494.tif 000053
までのインターバルにわたり、
【数１８】
2014239494.tif 000054
はダウンリンクにおけるリソースブロック（ＲＢｓ）の数であり、
前記第１の時間依存オフセットは（ｖ＋ｖshift）ｍｏｄ６であり、式中ｖは数の前記第１のシーケンス内の整数であり、ｖshiftは前記第１の定数であり、
【数１９】
2014239494.tif 000055
または
【数２０】
2014239494.tif 000056
の１つを満たし、式中、
【数２１】
2014239494.tif 000057
は前記サービスエリアセルの前記指数であり、ＳＦＮは前記システムフレーム数であり、ｃ（・）は擬似乱数シーケンスであり、数の前記第１のシーケンス内の前記整数は
【数２２】
2014239494.tif 000058
によって規定され、式中ｌは前記時間領域指数であり、ｎsはスロット数である、［８］に記載の装置。
［１０］前記第２のパターンは周波数領域指数を確立する第２の関係性を少なくとも含んでおり、前記第２の関係性は第２の静的オフセットと第２の時間依存オフセットの追加を含んでおり、前記第２の時間依存オフセットは時間領域指数およびタイムスロットのパリティによって規定される数の第２のシーケンスと、前記携帯遠隔通信システム内の前記サービスエリアセルの指数によって部分的に判定される第２の定数に基づいている、［７］に記載の装置。
［１１］前記第２の静的オフセットが６ｍであり、式中ｍは１のインクリメントで０から
【数２３】
2014239494.tif 000059
までのインターバルにわたり、
【数２４】
2014239494.tif 000060
はダウンリンクにおけるリソースブロック（ＲＢｓ）の数であり、
前記第２の時間依存オフセットは（ｖ＋ｖshift）ｍｏｄ６であり、式中ｖは数の前記第２のシーケンス内の整数であり、ｖshiftは前記第２の定数であり、
【数２５】
2014239494.tif 000061
または
【数２６】
2014239494.tif 000062
の１つを満たし、式中、
【数２７】
2014239494.tif 000063
は前記サービスエリアセルの前記指数であり、ＳＦＮは前記システムフレーム数であり、ｃ（・）は擬似乱数シーケンスであり、数の前記第２のシーケンス内の前記整数は
【数２８】
2014239494.tif 000064
によって規定され、式中ｌは前記時間領域指数であり、ｎsはスロット数である、請求項１０に記載の装置。
［１２］前記第３のパターンは周波数領域指数を確立する第３の関係性を少なくとも含んでおり、前記第３の関係性は第３の静的オフセットと第３の時間依存オフセットの追加を含んでおり、前記第３の時間依存オフセットは時間領域指数およびタイムスロットのパリティによって規定される数の第３のシーケンスと、前記携帯遠隔通信システム内の前記サービスエリアセルの指数によって部分的に判定される第３の定数に基づいている、［７］に記載の装置。
［１３］前記第３の静的オフセットが６ｍであり、式中ｍは１のインクリメントで０から
【数２９】
2014239494.tif 000065
までのインターバルにわたり、
【数３０】
2014239494.tif 000066
はダウンリンクにおけるリソースブロック（ＲＢｓ）の数であり、
前記第３の時間依存オフセットは（ｖ＋ｖshift）ｍｏｄ６であり、式中ｖは数の前記第３のシーケンス内の整数であり、ｖshiftは前記第３の定数であり、
【数３１】
2014239494.tif 000067
または
【数３２】
2014239494.tif 000068
の１つを満たし、式中、
【数３３】
2014239494.tif 000069
は前記サービスエリアセルの前記指数であり、ＳＦＮは前記システムフレーム数であり、ｃ（・）は擬似乱数シーケンスであり、数の前記第３のシーケンス内の前記整数は
【数３４】
2014239494.tif 000070
によって規定され、式中ｌは前記時間領域指数であり、ｎｓはスロット数である、請求項１２に記載の装置。
［１４］前記選択することに関連する前記指示は、タイムスケジュールまたは所定のイベントの少なくとも１つにより時間−周波数領域内にパターンを生成することに関連する指示を含んでいる、［７］に記載の装置。
［１５］前記生成することに関連する指示は、周波数トーンのセットと時間インターバルのセットを含む時間−周波数リソースのグループを選択することに関連する指示と、
前記周波数トーンのセット内の各周波数トーンに対して、ＰＲＳを伝えるために少なくとも１つの変調シンボルを割り当てることに関連する指示であって、前記少なくとも１つの変調シンボルが、異なる基準信号がその間に送信されない時間インターバルに送信される指示を含んでいる、［１４］に記載の装置。
［１６］前記選択することに関連する指示は、タイムスケジュールまたは所定のイベントの少なくとも１つにより、時間−周波数領域内の現在のパターンから時間−周波数領域内の更新パターンに切り換える指示を含んでいる、［６］に記載の装置。
［１７］時間−周波数領域内のパターンを選択するための手段であって、時間−周波数領域内の前記パターンは時間−周波数リソースのブロック内の各周波数トーンに変調シンボルを割り当てる手段と、
少なくとも前記パターンによって時間−周波数領域内の変調シンボルのセットにポジショニング基準信号（ＰＲＳ）シーケンスをマッピングするための手段と、
変調シンボルの前記セットの配信により前記ＰＲＳシーケンスを伝えるための手段とを備えた、ワイヤレス通信装置。
［１８］前記選択するための手段が、通常のサイクリックプリフィックス（ＣＰ）での無線サブフレーム構造に対する第１のパターン、拡張ＣＰでの無線サブフレーム構造に対する第２のパターン、またはマルチキャスト／ブロードキャスト単一周波数ネットワーク（ＭＢＳＦＮ）サブフレームに対する第３のパターンの少なくとも１つを取得するための手段を含んでおり、前記第１のパターンと、前記第２のパターンと、前記第３のパターンは、携帯遠隔通信システム内のサービスエリアセルに特有である、［１７］に記載のワイヤレス通信装置。
［１９］前記選択するための手段は、タイムスケジュールまたは所定のイベントの少なくとも１つにより時間−周波数領域内にパターンを生成するための手段を含んでいる、［１７］に記載のワイヤレス通信装置。
［２０］前記生成するための手段は、周波数トーンのセットと時間インターバルのセットを含む時間−周波数リソースのグループを選択するための手段と、
前記周波数トーンのセット内の各周波数トーンに対して、ＰＲＳを伝えるために少なくとも１つの変調シンボルを割り当てるための手段であって、前記少なくとも１つの変調シンボルが、異なる基準信号がその間に送信されない時間インターバルに送信される指示を含んでいる手段とを含んでいる、［１９］に記載のワイヤレス通信装置。
［２１］前記選択するための手段は、タイムスケジュールまたは所定のイベントの少なくとも１つにより、時間−周波数領域内の現在のパターンから時間−周波数領域内の更新パターンに切り換えるための手段を含んでいる、［１７］に記載のワイヤレス通信装置。
［２２］少なくとも１つのコンピュータに時間−周波数領域内のパターンを選択させるためのコードであって、時間−周波数領域内の前記パターンは時間−周波数リソースのブロック内の各周波数トーンに変調シンボルを割り当てるコードと、
前記少なくとも１つのコンピュータに少なくとも前記パターンに従って時間−周波数領域内の変調シンボルのセットにポジショニング基準信号（ＰＲＳ）シーケンスをマッピングさせるためのコードと、
前記少なくとも１つのコンピュータに変調シンボルの前記セットの配信によりＰＲＳシーケンスを伝えさせるコードとを備えたコンピュータ読取可能媒体を備えた、コンピュータプログラム製品。
［２３］前記少なくとも１つのコンピュータに時間−周波数領域内の前記パターンを選択させる前記コードは、前記少なくとも１つのコンピュータに、通常のサイクリックプリフィックス（ＣＰ）での無線サブフレーム構造に対する第１のパターン、拡張ＣＰでの無線サブフレーム構造に対する第２のパターン、またはマルチキャスト／ブロードキャスト単一周波数ネットワーク（ＭＢＳＦＮ）サブフレームに対する第３のパターンの少なくとも１つを取得させるコードを含んでいる、［２２］に記載のコンピュータプログラム製品。
［２４］前記少なくとも１つのコンピュータに時間−周波数領域内の前記パターンを選択させる前記コードは、前記少なくとも１つのコンピュータにタイムスケジュールまたは所定のイベントの少なくとも１つにより時間−周波数領域内にパターンを生成させるコードを含んでいる、［２３］に記載のコンピュータプログラム製品。
［２５］前記少なくとも１つのコンピュータにタイムスケジュールまたは所定のイベントの少なくとも１つにより時間−周波数領域内に前記パターンを生成させる前記コードは、
前記少なくとも１つのコンピュータに周波数トーンのセットと時間インターバルのセットを含む時間−周波数リソースのグループを選択させるコードと、
前記周波数トーンのセット内の各周波数トーンに対して、前記少なくとも１つのコンピュータにＰＲＳを伝えるために少なくとも１つの変調シンボルを割り当てさせるコードであって、前記少なくとも１つの変調シンボルが、異なる基準信号がその間に送信されない時間インターバルに送信される指示を含んでいるコードとを含む、［２４］に記載のコンピュータプログラム製品。
［２６］前記少なくとも１つのコンピュータに時間−周波数領域内の前記パターンを選択させる前記コードは、前記少なくとも１つのコンピュータに、タイムスケジュールまたは所定のイベントの少なくとも１つにより、時間−周波数領域内の現在のパターンから時間−周波数領域内の更新パターンに切り換えさせるコードを含んでいる、［２２］に記載のコンピュータプログラム製品。
［２７］時間−周波数領域内のパターンを選択するように構成され、時間−周波数領域内の前記パターンは時間−周波数リソースのブロック内の各周波数トーンに変調シンボルを割り当てるものであり、
少なくとも前記パターンにより時間−周波数領域内の変調シンボルのセットにポジショニング基準信号（ＰＲＳ）シーケンスをマッピングするように構成され、かつ
変調シンボルのセットの配信によりＰＲＳシーケンスを送信するように構成されたプロセッサを少なくとも備えた、ワイヤレス通信装置。
［２８］基地局から変調シンボルの時間−周波数パターンに従ってポジショニング基準信号（ＰＲＳ）シーケンスを受信することであって、前記時間−周波数パターンは時間−周波数リソースのブロック内の各周波数トーンに変調シンボルに割り当てることと、
プロセスの一部として少なくともＰＲＳシーケンスを利用して、位置推定値を作り出すこととを備えた方法。
［２９］前記受信することは、通常のサイクリックプリフィックス（ＣＰ）インターバルで無線サブフレーム構造に対する前記ＰＲＳシーケンス用の変調シンボルの第１のパターンを復号することを含んでいる、［２８］に記載の方法。
［３０］前記受信することは、拡張ＣＰで無線サブフレーム構造に対する変調シンボルの第２のパターンを復号することを含んでいる、［２８］に記載の方法。
［３１］前記受信することは、単一の周波数ネットワーク（ＭＢＳＦＮ）サブフレーム上のマルチキャスト／ブロードキャストのために変調シンボルの第３のパターンを復号することを含んでいる、［２８］に記載の方法。
［３２］前記受信することが、第１の無線サブフレームに対する変調シンボルの現在のパターンを復号し、第２の無線サブフレームに対する変調シンボルの更新パターンを復号することを含む、［２８］に記載の方法。
［３３］変調シンボルの少なくとも時間−周波数領域によりポジショニング基準信号（ＰＲＳ）シーケンスを基地局から受信することであって、時間−周波数領域内の前記パターンは時間−周波数リソースのブロック内の各周波数トーンに変調シンボルを割り当てることと、プロセスの一部として少なくともＰＲＳシーケンスを利用して、位置推定値を作り出すことに関連する指示を保持する指示を保持する少なくともメモリと、
少なくとも前記メモリに機能可能に結合され、少なくとも前記メモリ内に保持された前記指示を実行するように構成された少なくともプロセッサとを備えた装置。
［３４］
前記受信することに関連する前記指示は、通常のサイクリックプリフィックス（ＣＰ）インターバルで無線サブフレーム構造に対する前記ＰＲＳシーケンス用の変調シンボルの第１のパターンを復号することに関連する指示を含んでいる、［３３］に記載の装置。
［３５］前記受信することに関連する前記指示は、拡張ＣＰで無線サブフレーム構造に対する変調シンボルの第２のパターンを復号することに関連する指示を含んでいる、［３３］に記載の装置。
［３６］前記受信することに関連する前記指示は、単一の周波数ネットワーク（ＭＢＳＦＮ）サブフレーム上のマルチキャスト／ブロードキャストのために変調シンボルの第３のパターンを復号することに関連する指示を含んでいる、［３５］に記載の装置。
［３７］変調シンボルの少なくとも時間−周波数領域によりポジショニング基準信号（ＰＲＳ）シーケンスを基地局から受信するための手段であって、時間−周波数領域内の前記パターンは時間−周波数リソースのブロック内の各周波数トーンに変調シンボルを割り当てる手段と、
プロセスの一部として少なくともＰＲＳシーケンスを利用して、位置推定値を作り出すための手段とを備えた、ワイヤレス通信装置。
［３８］前記受信するための手段は、変調シンボルの前記周波数パターンを少なくとも復号するための手段を含んでいる、［３７］に記載のワイヤレス通信装置。
［３９］前記復号するための手段は、通常のサイクリックプリフィックス（ＣＰ）インターバルで無線サブフレーム構造に対する前記ＰＲＳシーケンス用の変調シンボルの第１のパターンを復号するための手段を含んでいる、［３８］に記載のワイヤレス通信装置。
［４０］前記復号するための手段は、拡張したサイクリックプリフィックス（ＣＰ）で無線サブフレーム構造に対する前記ＰＲＳシーケンス用の変調シンボルの第２のパターンを復号するための手段を含んでいる、［３８］に記載のワイヤレス通信装置。
［４１］前記復号するための手段は、単一の周波数ネットワーク（ＭＢＳＦＮ）サブフレーム上のマルチキャスト／ブロードキャストのために前記ＰＲＳシーケンス用の変調シンボルの第３のパターンを復号するための手段を含んでいる、［３８］に記載のワイヤレス通信装置。
［４２］少なくとも１つのコンピュータに、変調シンボルの少なくとも時間−周波数領域によりポジショニング基準信号（ＰＲＳ）シーケンスを基地局から受信させるコードであって、時間−周波数領域内の前記パターンは時間−周波数リソースのブロック内の各周波数トーンに変調シンボルを割り当てるコードと、
前記少なくとも１つのコンピュータに、プロセスの一部として少なくともＰＲＳシーケンスを利用して、位置推定値を作り出させるコードとを備えたコンピュータ読取可能媒体を備えた、コンピュータプログラム製品。
［４３］前記コンピュータ読取可能媒体はさらに、前記少なくとも１つのコンピュータに、通常のサイクリックプリフィックス（ＣＰ）で無線サブフレーム構造に対する前記ＰＲＳシーケンス用の変調シンボルの第１のパターンを復号させるコードを備えた、［４２］に記載のコンピュータプログラム製品。
［４４］前記コンピュータ読取可能媒体はさらに、前記少なくとも１つのコンピュータに、拡張したサイクリックプリフィックス（ＣＰ）で無線サブフレーム構造に対する前記ＰＲＳシーケンス用の変調シンボルの第２のパターンを復号させるコードを備えた、［４２］に記載のコンピュータプログラム製品。
［４５］前記コンピュータ読取可能媒体はさらに、前記少なくとも１つのコンピュータに、単一の周波数ネットワーク（ＭＢＳＦＮ）サブフレーム上のマルチキャスト／ブロードキャストのために前記ＰＲＳシーケンス用の変調シンボルの第３のパターンを復号させるコードを備えた、［４２］に記載のコンピュータプログラム製品。
［４６］少なくとも変調シンボルの時間−周波数パターンによりポジショニング基準信号（ＰＲＳ）シーケンスを基地局から受信するように構成され、変調シンボルの前記時間−周波数パターンは時間−周波数リソースのブロック内の各周波数副搬送波に変調シンボルを割り当てるものであり、
三辺測量プロセスの一部として少なくともＰＲＳシーケンスを利用して位置推定値を作り出すように構成されたプロセッサを少なくとも備えた、ワイヤレス通信装置。
【手続補正書】
【提出日】平成26年10月23日(2014.10.23)
【手続補正１】
【補正対象書類名】特許請求の範囲
【補正対象項目名】全文
【補正方法】変更
【補正の内容】
【特許請求の範囲】
【請求項１】
時間−周波数領域内のパターンを選択することと、ここにおいて、時間−周波数領域内の前記パターンは時間−周波数リソースのブロック内の各周波数トーンに変調シンボルを割り当て、前記選択することが、通常のサイクリックプリフィックス（ＣＰ）での無線サブフレーム構造に対する第１のパターン、拡張ＣＰでの無線サブフレーム構造に対する第２のパターン、またはマルチキャスト／ブロードキャスト単一周波数ネットワーク（ＭＢＳＦＮ）サブフレームに対する第３のパターンの少なくとも１つをメモリから取得することを含んでおり、前記第１のパターンと、前記第２のパターンと、前記第３のパターンは、携帯遠隔通信システム内のサービスエリアセルに特有であり、前記選択することは、タイムスケジュールまたは所定のイベントの少なくとも１つにより時間−周波数領域内に前記パターンを生成することを含んでいる、
少なくとも前記パターンによって時間−周波数領域内の変調シンボルのセットにポジショニング基準信号（ＰＲＳ）シーケンスをマッピングすることと、
変調シンボルの前記セットの配信により前記ＰＲＳシーケンスを伝えることと
を備えた方法。
【請求項２】
前記生成することは、
周波数トーンのセットと時間インターバルのセットを含む時間−周波数リソースのグループを選択することと、
前記周波数トーンのセット内の各周波数トーンに対して、ＰＲＳを伝えるために少なくとも１つの変調シンボルを割り当てることと
を含み、ここにおいて、前記少なくとも１つの変調シンボルが、異なる基準信号がその間に送信されない時間インターバルに送信される、請求項１に記載の方法。
【請求項３】
前記選択することは、タイムスケジュールまたは所定のイベントの少なくとも１つにより、時間−周波数領域内の現在のパターンから時間−周波数領域内の更新パターンに切り換えることを含む、請求項１に記載の方法。
【請求項４】
時間−周波数領域内のパターンを選択することに関連する指示と、ここにおいて、時間−周波数領域内の前記パターンは時間−周波数リソースのブロック内の各周波数トーンに変調シンボルを割り当て、前記選択することに関連する前記指示が、通常のサイクリックプリフィックス（ＣＰ）での無線サブフレーム構造に対する第１のパターン、拡張ＣＰでの無線サブフレーム構造に対する第２のパターン、またはマルチキャスト／ブロードキャスト単一周波数ネットワーク（ＭＢＳＦＮ）サブフレームに対する第３のパターンの少なくとも１つを取得することに関連する指示を含んでおり、前記第１のパターンと、前記第２のパターンと、前記第３のパターンは、携帯遠隔通信システム内のサービスエリアセルに特有であり、前記選択することに関連する前記指示は、タイムスケジュールまたは所定のイベントの少なくとも１つにより時間−周波数領域内に前記パターンを生成することを含んでいる、
少なくとも前記パターンに従って時間−周波数領域内の変調シンボルのセットにポジショニング基準信号（ＰＲＳ）シーケンスをマッピングすることに関連する指示と、
前記変調シンボルのセットの配信により前記ＰＲＳシーケンスを伝えることに関連する指示と
を保持する少なくとも１つのメモリと、
少なくとも前記メモリに機能可能に結合され、少なくとも前記メモリ内に保持された前記指示を実行するように構成された少なくとも１つのプロセッサと
を備えた装置。
【請求項５】
前記第１のパターンは周波数領域指数を確立する第１の関係性を少なくとも含んでおり、前記第１の関係性は第１の静的オフセットと第１の時間依存オフセットの追加を含んでおり、前記第１の時間依存オフセットは時間領域指数およびタイムスロットのパリティによって規定される数の第１のシーケンスと、前記携帯遠隔通信システム内の前記サービスエリアセルの指数によって部分的に判定される第１の定数に基づいている、請求項４に記載の装置。
【請求項６】
前記第１の静的オフセットが６ｍであり、式中ｍは１のインクリメントで０から
【数１】
2014239494.tif 000071
までのインターバルにわたる整数指数であり、
【数２】
2014239494.tif 000072
はダウンリンクにおけるリソースブロック（ＲＢｓ）の数であり、
前記第１の時間依存オフセットは（ｖ＋ｖshift）ｍｏｄ６であり、式中ｖは数の前記第１のシーケンス内の整数であり、ｖshiftは前記第１の定数であり、
【数３】
2014239494.tif 000073
または
【数４】
2014239494.tif 000074
の１つを満たし、式中、
【数５】
2014239494.tif 000075
は前記サービスエリアセルの前記指数であり、ＳＦＮは前記システムフレーム数であり、ｃ（・）は擬似乱数シーケンスであり、数の前記第１のシーケンス内の前記整数は
【数６】
2014239494.tif 000076
によって規定され、式中ｌは前記時間領域指数であり、ｎsはスロット数である、請求項５に記載の装置。
【請求項７】
前記第２のパターンは周波数領域指数を確立する第２の関係性を少なくとも含んでおり、前記第２の関係性は第２の静的オフセットと第２の時間依存オフセットの追加を含んでおり、前記第２の時間依存オフセットは時間領域指数およびタイムスロットのパリティによって規定される数の第２のシーケンスと、前記携帯遠隔通信システム内の前記サービスエリアセルの指数によって部分的に判定される第２の定数に基づいている、請求項４に記載の装置。
【請求項８】
前記第２の静的オフセットが６ｍであり、式中ｍは１のインクリメントで０から
【数７】
2014239494.tif 000077
までのインターバルにわたる整数指数であり、
【数８】
2014239494.tif 000078
はダウンリンクにおけるリソースブロック（ＲＢｓ）の数であり、
前記第２の時間依存オフセットは（ｖ＋ｖshift）ｍｏｄ６であり、式中ｖは数の前記第２のシーケンス内の整数であり、ｖshiftは前記第２の定数であり、
【数９】
2014239494.tif 000079
または
【数１０】
2014239494.tif 000080
の１つを満たし、式中、
【数１１】
2014239494.tif 000081
は前記サービスエリアセルの前記指数であり、ＳＦＮは前記システムフレーム数であり、ｃ（・）は擬似乱数シーケンスであり、数の前記第２のシーケンス内の前記整数は
【数１２】
2014239494.tif 000082
によって規定され、式中ｌは前記時間領域指数であり、ｎsはスロット数である、請求項７に記載の装置。
【請求項９】
前記第３のパターンは周波数領域指数を確立する第３の関係性を少なくとも含んでおり、前記第３の関係性は第３の静的オフセットと第３の時間依存オフセットの追加を含んでおり、前記第３の時間依存オフセットは時間領域指数およびタイムスロットのパリティによって規定される数の第３のシーケンスと、前記携帯遠隔通信システム内の前記サービスエリアセルの指数によって部分的に判定される第３の定数に基づいている、請求項４に記載の装置。
【請求項１０】
前記第３の静的オフセットが６ｍであり、式中ｍは１のインクリメントで０から
【数１３】
2014239494.tif 000083
までのインターバルにわたる整数指数であり、
【数１４】
2014239494.tif 000084
はダウンリンクにおけるリソースブロック（ＲＢｓ）の数であり、
前記第３の時間依存オフセットは（ｖ＋ｖshift）ｍｏｄ６であり、式中ｖは数の前記第３のシーケンス内の整数であり、ｖshiftは前記第３の定数であり、
【数１５】
2014239494.tif 000085
または
【数１６】
2014239494.tif 000086
の１つを満たし、式中、
【数１７】
2014239494.tif 000087
は前記サービスエリアセルの前記指数であり、ＳＦＮは前記システムフレーム数であり、ｃ（・）は擬似乱数シーケンスであり、数の前記第３のシーケンス内の前記整数は
【数１８】
2014239494.tif 000088
によって規定され、式中ｌは前記時間領域指数であり、ｎｓはスロット数である、請求項９に記載の装置。
【請求項１１】
前記選択することに関連する前記指示は、タイムスケジュールまたは所定のイベントの少なくとも１つにより時間−周波数領域内に前記パターンを生成することに関連する指示を含んでいる、請求項４に記載の装置。
【請求項１２】
前記生成することに関連する前記指示は、周波数トーンのセットと時間インターバルのセットを含む時間−周波数リソースのグループを選択することに関連する指示と、
前記周波数トーンのセット内の各周波数トーンに対して、ＰＲＳを伝えるために少なくとも１つの変調シンボルを割り当てることに関連する指示と
を含み、ここにおいて、前記少なくとも１つの変調シンボルが、異なる基準信号がその間に送信されない時間インターバルに送信される、請求項１１に記載の装置。
【請求項１３】
前記選択することに関連する前記指示は、タイムスケジュールまたは所定のイベントの少なくとも１つにより、時間−周波数領域内の現在のパターンから時間−周波数領域内の更新パターンに切り換えることに関連する指示を含んでいる、請求項４に記載の装置。
【請求項１４】
時間−周波数領域内のパターンを選択するための手段と、ここにおいて、時間−周波数領域内の前記パターンは時間−周波数リソースのブロック内の各周波数トーンに変調シンボルを割り当て、前記選択するための手段が、通常のサイクリックプリフィックス（ＣＰ）での無線サブフレーム構造に対する第１のパターン、拡張ＣＰでの無線サブフレーム構造に対する第２のパターン、またはマルチキャスト／ブロードキャスト単一周波数ネットワーク（ＭＢＳＦＮ）サブフレームに対する第３のパターンの少なくとも１つを取得するための手段を含んでおり、前記第１のパターンと、前記第２のパターンと、前記第３のパターンは、携帯遠隔通信システム内のサービスエリアセルに特有であり、前記選択するための手段は、タイムスケジュールまたは所定のイベントの少なくとも１つにより時間−周波数領域内に前記パターンを生成することを含んでいる、
少なくとも前記パターンによって時間−周波数領域内の変調シンボルのセットにポジショニング基準信号（ＰＲＳ）シーケンスをマッピングするための手段と、
変調シンボルの前記セットの配信により前記ＰＲＳシーケンスを伝えるための手段と
を備えた、ワイヤレス通信装置。
【請求項１５】
前記選択するための手段は、タイムスケジュールまたは所定のイベントの少なくとも１つにより時間−周波数領域内に前記パターンを生成するための手段を含んでいる、請求項１４に記載のワイヤレス通信装置。
【請求項１６】
前記生成するための手段は、
周波数トーンのセットと時間インターバルのセットを含む時間−周波数リソースのグループを選択するための手段と、
前記周波数トーンのセット内の各周波数トーンに対して、ＰＲＳを伝えるために少なくとも１つの変調シンボルを割り当てるための手段と
を含み、ここにおいて、前記少なくとも１つの変調シンボルが、異なる基準信号がその間に送信されない時間インターバルに送信される、請求項１５に記載のワイヤレス通信装置。
【請求項１７】
前記選択するための手段は、タイムスケジュールまたは所定のイベントの少なくとも１つにより、時間−周波数領域内の現在のパターンから時間−周波数領域内の更新パターンに切り換えるための手段を含んでいる、請求項１４に記載のワイヤレス通信装置。
【請求項１８】
少なくとも１つのコンピュータに時間−周波数領域内のパターンを選択させるためのコードと、ここにおいて、時間−周波数領域内の前記パターンは時間−周波数リソースのブロック内の各周波数トーンに変調シンボルを割り当て、前記少なくとも１つのコンピュータに前記時間−周波数領域内の前記パターンを選択させる前記コードは、前記少なくとも１つのコンピュータに、通常のサイクリックプリフィックス（ＣＰ）での無線サブフレーム構造に対する第１のパターン、拡張ＣＰでの無線サブフレーム構造に対する第２のパターン、またはマルチキャスト／ブロードキャスト単一周波数ネットワーク（ＭＢＳＦＮ）サブフレームに対する第３のパターンの少なくとも１つを取得させるコードを含んでおり、前記少なくとも１つのコンピュータに前記時間−周波数領域内の前記パターンを選択させる前記コードは、タイムスケジュールまたは所定のイベントの少なくとも１つにより時間−周波数領域内に前記パターンを生成することを含んでいる、
前記少なくとも１つのコンピュータに少なくとも前記パターンに従って時間−周波数領域内の変調シンボルのセットにポジショニング基準信号（ＰＲＳ）シーケンスをマッピングさせるためのコードと、
前記少なくとも１つのコンピュータに変調シンボルの前記セットの配信により前記ＰＲＳシーケンスを伝えさせるコードと
を備えたコンピュータ読取可能記憶媒体。
【請求項１９】
前記少なくとも１つのコンピュータに時間−周波数領域内の前記パターンを選択させる前記コードは、前記少なくとも１つのコンピュータにタイムスケジュールまたは所定のイベントの少なくとも１つにより時間−周波数領域内に前記パターンを生成させるコードを含んでいる、請求項１８に記載のコンピュータ読取可能記憶媒体。
【請求項２０】
前記少なくとも１つのコンピュータにタイムスケジュールまたは所定のイベントの少なくとも１つにより時間−周波数領域内に前記パターンを生成させる前記コードは、
前記少なくとも１つのコンピュータに周波数トーンのセットと時間インターバルのセットを含む時間−周波数リソースのグループを選択させるコードと、
前記周波数トーンのセット内の各周波数トーンに対して、前記少なくとも１つのコンピュータにＰＲＳを伝えるために少なくとも１つの変調シンボルを割り当てさせるコードと
を含み、ここにおいて、前記少なくとも１つの変調シンボルが、異なる基準信号がその間に送信されない時間インターバルに送信される、請求項１９に記載のコンピュータ読取可能記憶媒体。
【請求項２１】
前記少なくとも１つのコンピュータに時間−周波数領域内の前記パターンを選択させる前記コードは、前記少なくとも１つのコンピュータに、タイムスケジュールまたは所定のイベントの少なくとも１つにより、時間−周波数領域内の現在のパターンから時間−周波数領域内の更新パターンに切り換えさせるコードを含んでいる、請求項１８に記載のコンピュータ読取可能記憶媒体。
【請求項２２】
時間−周波数領域内のパターンを選択し、ここにおいて、時間−周波数領域内の前記パターンは時間−周波数リソースのブロック内の各周波数トーンに変調シンボルを割り当て、前記時間−周波数領域内のパターンを選択することが、通常のサイクリックプリフィックス（ＣＰ）での無線サブフレーム構造に対する第１のパターン、拡張ＣＰでの無線サブフレーム構造に対する第２のパターン、またはマルチキャスト／ブロードキャスト単一周波数ネットワーク（ＭＢＳＦＮ）サブフレームに対する第３のパターンの少なくとも１つを取得することを含んでおり、前記第１のパターンと、前記第２のパターンと、前記第３のパターンは、携帯遠隔通信システム内のサービスエリアセルに特有であり、前記時間−周波数領域内のパターンを選択することは、タイムスケジュールまたは所定のイベントの少なくとも１つにより時間−周波数領域内に前記パターンを生成することを含んでいる、
少なくとも前記パターンにより時間−周波数領域内の変調シンボルのセットにポジショニング基準信号（ＰＲＳ）シーケンスをマッピングし、
変調シンボルの前記セットの配信により前記ＰＲＳシーケンスを送信する
ように構成された少なくとも１つのプロセッサを備えた、ワイヤレス通信装置。
【請求項２３】
基地局から少なくとも変調シンボルの時間−周波数パターンに従ってポジショニング基準信号（ＰＲＳ）シーケンスを受信することと、ここにおいて、前記時間−周波数パターンは時間−周波数リソースのブロック内の各周波数トーンに変調シンボルを割り当て、前記受信することは、通常のサイクリックプリフィックス（ＣＰ）での無線サブフレーム構造に対する前記ＰＲＳシーケンス用の変調シンボルの第１のパターンを復号すること、拡張ＣＰでの無線サブフレーム構造に対する変調シンボルの第２のパターンを復号すること、単一周波数ネットワーク（ＭＢＳＦＮ）サブフレーム上のマルチキャスト／ブロードキャストに対する変調シンボルの第３のパターンを復号すること、または、第１の無線サブフレームに対する変調シンボルの現在のパターンを復号し、第２の無線サブフレームに対する変調シンボルの更新パターンを復号することの少なくとも１つを含んでおり、
プロセスの一部として少なくとも前記ＰＲＳシーケンスを利用して、位置推定値を作り出すことと
を備え、
前記第１、第２、および第３のパターンは、タイムスケジュールまたは所定のイベントの少なくとも１つにより時間−周波数領域内に生成される、方法。
【請求項２４】
少なくとも変調シンボルの時間−周波数パターンに従ってポジショニング基準信号（ＰＲＳ）シーケンスを基地局から受信することに関連する指示と、ここにおいて、前記受信することに関連する前記指示は、通常のサイクリックプリフィックス（ＣＰ）での無線サブフレーム構造に対する前記ＰＲＳシーケンス用の変調シンボルの第１のパターンを復号することに関連する指示、拡張ＣＰでの無線サブフレーム構造に対する変調シンボルの第２のパターンを復号することに関連する指示、単一周波数ネットワーク（ＭＢＳＦＮ）サブフレーム上のマルチキャスト／ブロードキャストに対する変調シンボルの第３のパターンを復号することに関連する指示、または、第１の無線サブフレームに対する変調シンボルの現在のパターンを復号し、第２の無線サブフレームに対する変調シンボルの更新パターンを復号することに関連する指示の少なくとも１つを含んでおり、前記時間−周波数パターンは時間−周波数リソースのブロック内の各周波数トーンに変調シンボルを割り当てる、
プロセスの一部として少なくとも前記ＰＲＳシーケンスを利用して位置推定値を作り出すことに関連する指示と
を保持する少なくとも１つのメモリと、
少なくとも前記メモリに機能可能に結合され、少なくとも前記メモリ内に保持された前記指示を実行するように構成された少なくとも１つのプロセッサと
を備え、
前記第１、第２、および第３のパターンは、タイムスケジュールまたは所定のイベントの少なくとも１つにより時間−周波数領域内に生成される、装置。
【請求項２５】
少なくとも変調シンボルの時間−周波数パターンに従ってポジショニング基準信号（ＰＲＳ）シーケンスを基地局から受信するための手段と、ここにおいて、前記時間−周波数パターンは時間−周波数リソースのブロック内の各周波数トーンに変調シンボルを割り当て、前記受信するための手段は、通常のサイクリックプリフィックス（ＣＰ）での無線サブフレーム構造に対する前記ＰＲＳシーケンス用の変調シンボルの第１のパターンを復号するための手段、拡張ＣＰでの無線サブフレーム構造に対する変調シンボルの第２のパターンを復号するための手段、単一周波数ネットワーク（ＭＢＳＦＮ）サブフレーム上のマルチキャスト／ブロードキャストに対する変調シンボルの第３のパターンを復号するための手段、または、第１の無線サブフレームに対する変調シンボルの現在のパターンを復号し、第２の無線サブフレームに対する変調シンボルの更新パターンを復号するための手段の少なくとも１つを含んでいる、
プロセスの一部として少なくとも前記ＰＲＳシーケンスを利用して、位置推定値を作り出すための手段と
を備え、
前記第１、第２、および第３のパターンは、タイムスケジュールまたは所定のイベントの少なくとも１つにより時間−周波数領域内に生成される、ワイヤレス通信装置。
【請求項２６】
少なくとも１つのコンピュータに、少なくとも変調シンボルの時間−周波数パターンに従ってポジショニング基準信号（ＰＲＳ）シーケンスを基地局から受信させるコードと、ここにおいて、前記時間−周波数パターンは時間−周波数リソースのブロック内の各周波数トーンに変調シンボルを割り当て、前記受信させるコードが、通常のサイクリックプリフィックス（ＣＰ）での無線サブフレーム構造に対する前記ＰＲＳシーケンス用の変調シンボルの第１のパターンを復号させるコード、拡張ＣＰでの無線サブフレーム構造に対する変調シンボルの第２のパターンを復号させるコード、単一周波数ネットワーク（ＭＢＳＦＮ）サブフレーム上のマルチキャスト／ブロードキャストに対する変調シンボルの第３のパターンを復号させるコード、または、第１の無線サブフレームに対する変調シンボルの現在のパターンを復号し、第２の無線サブフレームに対する変調シンボルの更新パターンを復号させるコードの少なくとも１つを含んでおり、
前記少なくとも１つのコンピュータに、プロセスの一部として少なくとも前記ＰＲＳシーケンスを利用して、位置推定値を作り出させるコードと
を備え、
前記第１、第２、および第３のパターンは、タイムスケジュールまたは所定のイベントの少なくとも１つにより時間−周波数領域内に生成される、コンピュータ読取可能記憶媒体。
【請求項２７】
少なくとも変調シンボルの時間−周波数パターンによりポジショニング基準信号（ＰＲＳ）シーケンスを基地局から受信し、前記受信することは、通常のサイクリックプリフィックス（ＣＰ）での無線サブフレーム構造に対する前記ＰＲＳシーケンス用の変調シンボルの第１のパターンを復号すること、拡張ＣＰでの無線サブフレーム構造に対する変調シンボルの第２のパターンを復号すること、単一周波数ネットワーク（ＭＢＳＦＮ）サブフレーム上のマルチキャスト／ブロードキャストに対する変調シンボルの第３のパターンを復号すること、または、第１の無線サブフレームに対する変調シンボルの現在のパターンを復号し、第２の無線サブフレームに対する変調シンボルの更新パターンを復号することの少なくとも１つを含んでおり、変調シンボルの前記時間−周波数パターンは時間−周波数リソースのブロック内の各周波数副搬送波に変調シンボルを割り当てる、
三辺測量プロセスの一部として少なくとも前記ＰＲＳシーケンスを利用して位置推定値を作り出す
ように構成された少なくとも１つのプロセッサを備え、
前記第１、第２、および第３のパターンは、タイムスケジュールまたは所定のイベントの少なくとも１つにより時間−周波数領域内に生成される、ワイヤレス通信装置。
【請求項２８】
コンピュータに、請求項１−３および２３のうちの１つに従って前記方法を実行させるプログラム。
【請求項２９】
コンピュータに、請求項１−３および２３のうちの１つに従って前記方法を実行させるプログラムを記録した、コンピュータ読取可能記憶デバイス。
【外国語明細書】
2014239494000001.pdf